(57)【要約】【課題】動物を散歩させた際、糞の後始末後ナイロンから糞がみえたり、持って歩く時犬などの動物の動きにより糞がブラブラ揺れるのがはずかしかった。又、軟便などは手で挟んでもなかなか上手く取れないものである。それらあらゆる問題を解消させた糞便収納具を提供する。【解決手段】糞便収納具は、糞便収納具と糞便収納具に着脱自在に装着された非透水性糞便収納保持部材と糞便摘み具として半円弧状に形成した横長クランパと、クランパに被せられた水溶性糞便収納袋とから構成され、水溶性糞便収納袋を被せた状態でクランパによって糞便を把持した後、水溶性糞便収納袋を反転させて糞便を水溶性糞便収納袋内に収納し、その後、糞便を水溶性糞便収納袋ごと非透水性糞便収納保持部材の中にクランパと共に収納したものであることを特徴とする糞便収納具。【選択図】  図１
2008029313.tif 000002
【特許請求の範囲】
【請求項１】
糞便収納具開口が開閉自在に設けられ、内部に糞便収納保持部材が着脱可能に装着されており、糞便を前記糞便収納保持部材にて保持するように構成されている糞便収納具。
【請求項２】
糞便収納具を開口すると同時に、糞便収納具内開口近傍に設けられている係止部に取り付けられている糞便収納保持部材が開き、糞便を保持出来るように構成されている請求項１記載の糞便収納具。
【請求項３】
水溶性シートにて形成されている糞便収納袋の内側にクランパを挿入し、水溶性糞便収納袋を介してクランパによって糞便を把持した後、水溶性糞便収納袋のみを反転させ糞便収納保持部材の中に糞便を収納した水溶性糞便収納袋とクランパを収納する為の水溶性糞便収納袋とクランパを具備した請求項１記載の糞便収納具。
【請求項４】
クランパを手で握りやすい横長の半円弧状にし、糞便を把持出来るようにしたことを特徴とする請求項３記載の糞便収納具。
【請求項５】
糞便収納保持部材に非透水性素材を用いて形成されている請求項１記載の糞便収納具。
【請求項６】
糞便収納具、糞便収納保持部材、クランパに抗菌処理を施したことを特徴とした請求項１記載の糞便収納具。
【発明の詳細な説明】
【技術分野】
【０００１】
本発明は、犬を散歩させる際使用する糞便収納具であり、水溶性シートにて形成されている糞便収納袋の内側にクランパを挿入し、水溶性糞便収納袋を介してクランパによって糞便を把持した後、水溶性糞便収納袋のみを反転させ糞便を収納した水溶性糞便収納袋とクランパを共に糞便収納具に着脱可能に取り付けられている糞便収納保持部材に収納し、糞便収納具を閉じ持ち帰った後、糞便を把持しているクランパを離脱させ、水溶性糞便収納袋と糞便をトイレに捨てることが出来ることを目的とした糞便収納具である。
【背景技術】
【０００２】
犬の糞取り具は種種提案されているが、例えば、実用新案登録第３０８３９８８号記載の「携帯用フン処理セット」は、ふんとりバサミの柄に可動するリングをはめ、向かい合った先の二つの面をそれぞれスコップ形とくし形にした形状であり、又、フンとフン取りバサミ入れバッグは口の開閉の時、内枠の固定もできることを特徴とした携帯用フン処理セットである。
【０００３】
又、特開２００１−８５７１号公報に開示された「犬の糞回収具及びその収納バッグ」は、左右一対の挟持部材が先端部を開放させると共に、復元性を有してＶ字状に連結され、各挟持部材の先端部の近傍に、この先端部を介して外側に折り返される袋の口を止め付けるための止め付け部が形成され、又袋の底の一方側を懸吊状に止め付けるための袋の底用の止め付け部が一方の挟持部材の基端寄りに形成され、袋の口用の止め付け部と、底用の止め付け部とが、袋を通すための切窓状の開口部と、この開口部に臨まれると共に袋を挟着させるスリット状の切り込みを設けた挟持部材と、展開自在に形成された収納バッグの側部が折り戸状に形成され、この一方の側部から他方の側部にわたって本体部の収納スペースが幅狭状に形成されたことを特徴とするバッグからなる「犬の糞回収具及びその収納バッグ」である。
【特許文献１】登実第３０８３９８８号公報
【特許文献２】特開２００１−８５７１号公報
【発明の開示】
【発明が解決しようとする課題】
【０００４】
前記実用新案登録第３０８３９８８号公報記載の「携帯用フン処理セット」は、ふんとりバサミの柄に可動するリングをはめ、向かい合った先の二つの面をそれぞれスコップ形とくし形にした形状であり、バッグ内枠に捨て用内袋をつけることにより、内袋ごとフンを捨てられる携帯用フン処理セットであるが、バッグの内側開口部から下向きにホック付きテープが取り付けられ、内枠に薄い捨て用の内袋を内側から外側に向かってかぶせ、内袋の内側と外へかぶさった分とで二重になった部分を、バッグに取り付けたホック付きテープで内枠をまたぐようにして内側からと外側からとめる構造になっているが、捨てよう内袋上部４箇所に穴があいているのかどうか説明がなく不十分である。万が一穴が開いていない場合、二重になった内袋の上からホック付きテープで止めた場合犬の動きによりはずれる可能性がある。又、捨て用内袋はどのような材質か分からず、フンを内袋ごと捨てられると記載されているが一軒家やマンションの水洗トイレに捨てるとは考えずらい欠点がある。
【０００５】
又、フンを挟む場合つかみバサミに直接フンがふれるので持ち帰ってからつかみバサミを洗わなければならない煩わしさがある。近年マンションで愛玩用の犬を飼う人も多くフンの付着したふんとりバサミの洗い場所に困る欠点がある。その上フンを直接挟んで持ち手付きバッグに入れる際フンが持ち手にふれたり、バッグの縁にふれたりする可能性があり、万が一持ち手にフンがふれた場合フンをした後、犬を散歩させることが苦痛になる欠点がある。又、フン処理後のふんとりバサミはバッグに入れることが出来ないため別に持たなければならない欠点がある。
【０００６】
又、特開２００１−８５７１号公報記載の「犬の糞回収具及びその収納バッグ」は、犬の糞を回収する挟持部材と糞を収納する袋の口を止め付けるための止め付け部を設けた犬の糞回収具であるが、糞を収納する袋の口を外側に折り返し、各挟持部材の開口部に外側から内方に通し、先端部側に引いて切り込みに挟み付ける。又その後、袋の底の一方側を挟持部材の開口部に通し、先端部側に引いて切り込みに挟み付けるといった煩わしい動作をしなければならない。その上、袋の素材をポリエチレン製の樹脂袋を用いた場合家のトイレに袋ごと捨てるわけにいかない欠点がある。
【０００７】
又、袋に糞を収納した後そのままの状態で収納バッグに入れて持ち帰り、挟持部材の止め付け部に取り付けた糞の入った袋を取り外す動作をしなければならない。又、そのままの状態で収納バッグに入れて持ち帰る場合、挟持部材先端が糞によって汚れていることが考えられ収納バッグに糞が付着する可能性がある。又、挟持部材が収納バッグに収納しきれない形状になっているので糞便の臭いが漂う可能性がある。又、収納バッグは展開自在にホックで連結されるよう形成されているが犬の動きによりホックがはずれる可能性がある。又、犬の散歩は大人に限らず子供も散歩をさせる為、なるべく簡単に糞便が把持でき糞便収納具に収納出来るかが大事である。
本発明は、これ等の欠点を解消させた糞便収納具を提供することを目的とする。
【課題を解決するための手段】
【０００８】
第１の発明は糞便収納具開口が開閉自在に設けられ、内部に糞便収納保持部材が着脱可能に装着されており、糞便を前記糞便収納保持部材にて保持するように構成されている糞便収納具である。
第２の発明は第１の発明を前提として、糞便収納具を開口すると同時に、糞便収納具内開口近傍に設けられている係止部に取り付けられている糞便収納保持部材が開き、糞便を保持出来るように構成されている請求項１記載の糞便収納具である。
第３の発明は第１の発明を前提として、水溶性シートにて形成されている糞便収納袋の内側にクランパを挿入し、水溶性糞便収納袋を介してクランパによって糞便を把持した後、水溶性糞便収納袋のみを反転させ糞便収納保持部材の中に糞便を収納した水溶性糞便収納袋とクランパを収納する為の水溶性糞便収納袋とクランパを具備した請求項１記載の糞便収納具である。
第４の発明は第３の発明を前提として、クランパを手で握りやすい横長の半円弧状にし、糞便を把持出来るようにしたことを特徴とする糞便収納具である。
第５の発明は第１の発明を前提として糞便収納保持部材に非透水性素材を用いて形成されている糞便収納具である。
第６の発明は第１の発明を前提として、糞便収納具、糞便収納保持部材、クランパに抗菌処理を施したことを特徴とした糞便収納具である。
【発明の効果】
【０００９】
本発明は、以下の記載されるような効果を奏する。
犬の糞取り具は種種提案されているが、糞の後始末後ナイロンから糞が見えたり、犬の動きにより糞を入れた袋を持って歩く時、糞がブラブラ揺れるのが分かったりするものが多く、又、起伏にとんだ場所、例えば石と石の間、木の根っこ、道路と歩道の段差近くなどはナイロン袋などに手を入れて、手で挟み取ってひっくり返し持ち帰っていた。
【００１０】
又、軟便などは手で挟んでもなかなか上手く取れないものである。本発明の糞便収納具は一見普通の女性用バッグに見え、糞便収納具の口を開けてはじめて犬の糞便収納具と分かり、糞便を糞便収納具の外から見ることは出来ない。        又、糞便収納具内開口近傍に係止部を設けてあるため、着脱可能な糞便収納保持部材を係止部に取り付けることにより、糞便収納具と糞便収納保持部材の間に空隙部が出来、糞便収納保持部材が万が一汚れた場合でも糞便収納具は汚れることはない。又、クランパを水溶性シートにて形成されている糞便収納袋の内側に挿入し、水溶性糞便収納袋を介してクランパによって糞便を把持した後、水溶性糞便収納袋のみを反転させ糞便収納保持部材の中にクランパと共に入れ糞便収納具の口を閉じれば、クランパが直接糞便にふれることなく水溶性糞便収納袋の上から保持した状態で収納されているので糞便収納具を持ち歩く時に揺れても糞便を収納した水溶性糞便収納袋の上からクランパが覆う形になり、動物の動きにより糞便が揺れても糞便収納保持部材を汚す可能性は低く、糞便収納具の口を閉じ動物と一緒に散歩をしていても普通の女性用バッグにしか見えない。又、バッグの素材を皮、合成樹脂、布などいろいろ変えることも出来、デザインなども糞便収納具の形を様々な形にすることが出来る。
【００１１】
又、糞便収納保持部材を非透水性合成樹脂、天然ゴム、合成ゴム、撥水加工された布、撥水加工された不織布などにすることにより万が一糞便により糞便収納保持部材が汚れても糞便収納保持部材の外面に水分が漏れることもなく、又、糞便収納保持部材が着脱可能に装着されており、汚れた場合取り外して水洗いする事が出来る。又、他の糞便収納保持部材と取り替えることもできる。
【００１２】
又、クランパは起伏にとんだどんな場所でも使用する事が出来、手で糞便を挟むことはなく糞便を掴んだ嫌な感触も感じることはない。又、軟便の場合袋に手を入れて掴むのは困難である。本発明のクランパは手で握りやすい横長の半円弧状に形成されており糞便をはさみ易くしているため、細長い柄を操作して先端の挟み具で挟むようなもどかしさがない。（例えば実登第３０８３９８８号公報記載の携帯用フン処理セットはふんとりバサミの柄にリングをはめ、向かい合った先の二つの面をそれぞれ、スコップ形とくし形にした携帯用フン処理セットである。）又、挟持部材先端が複雑な形状（例えば特開２００１−８５７１号公報記載の挟持部材は先端部に袋を止め付けるための止め付け部を設けた形状である。）本発明は大人でも子供でも簡単に糞便あるいは軟便を挟み取ることができ、又、クランパ両端部をある程度の幅を持たせて内側に折り返せばより軟便を挟むことができる。
【００１３】
又、軟便の場合外出さきで２度３度糞便をすることが考えられるので糞便収納具内外の周囲に糞便収納具の形状に合わせて糞便収納袋を収納できるポケットを設けておけばよい。又、複数の動物を連れての散歩の場合にも糞便収納袋が複数枚必要な為、収納ポケットがあると便利である。糞便収納具の形状によりポケットを設けることが出来ない場合は別に糞便収納袋を収納出来る小袋を本体の糞便収納具に取り付けられるようにしておけばよい。
【００１４】
近年マンションで犬を飼う人も多くなり糞の後始末後のスコップ等洗い場に困ることもあるが、本発明は水溶性シートにて形成されている糞便収納袋を使用すれば糞便と水溶性糞便収納袋はトイレに流すことが出来るため洗う必要がない。
【００１５】
クランパの素材に合成樹脂などを用いても良く、又、マンションなどで洗い場がない場合、クランパが糞便で汚れたときはクランパの素材に厚紙などを用いれば使い捨てが出来るため洗う必要がない。今まで糞便がナイロンの外から見えたり、スコップなどを洗う必要があった煩わしさを解消させたものである。
【００１６】
又、糞便収納具内面に消臭剤を入れることが出来るポケットを取り付け、消臭剤を差し込めば糞の臭いを消すことが出来、又、糞便収納具、糞便収納保持部材、クランパに抗菌処理例えば太陽光を当てれば抗菌される光触媒は太陽光が当たると汚れがつきにくい、簡単に汚れが水で洗い落とせる、抗菌、脱臭などの機能を発するので、そのような効果のある光触媒を施すことでいつまでも気持ちよく使用することが出来る。
【００１７】
又、糞便収納具外周の少なくとも１箇所に光反射材、蓄光性夜光顔料を用いた図柄を取り付けるか又は、発光ダイオードを用いた図柄を施せば夜道の散歩をする場合車の運転手に居場所を教えることが出来、交通事故に遭う可能性を下げることができる。
【００１８】
又、年々高齢者の人口が増え、高齢者の方にとって犬などの動物は癒しにもなり、家族として接している人も少なくない。そういう高齢者の方は犬などの動物を連れての散歩をする場合なるべく荷物を少なくしたいものである。
【００１９】
高齢者の為の歩行補助車の中に糞便を処理した袋を入れるのは抵抗あるが、歩行補助車側面などに係止部を設け、糞便収納具又は、非透水性合成樹脂素材、天然ゴム、合成ゴム、撥水加工された布、撥水加工された不織布などの素材を用いた糞便収納保持部材をそのまま着脱可能に取り付ければ万が一糞便により水分が出ても外面に漏れることも無く、犬などの動物との散歩も容易にできる。
【００２０】
又、ペット用カート側面に係止部を設け、糞便収納具を取り付けることができる。又、ペット用キャリーバッグの取手にも取り付け具を用いて糞便収納具を取り付けることが出来る。
【００２１】
又、糞便収納具内外にペット用小道具を入れる小道具収納部もしくはポケットを具備しておけば散歩用バッグとして幅広く使用できる。又、犬などの散歩は大人に限らず子供でもさせる為、糞便収納具はなるべく簡単で大人でも子供でも使いやすい構造にすることが好ましい。それらあらゆる問題を解決させることが出来る。
【発明を実施するための最良の形態】
【００２２】
本発明の実施例を図面に基づいて説明する。
図１は、請求項２記載の糞便収納具を開口すると同時に、糞便収納具内開口近傍に設けられている係止部に取り付けられている糞便収納保持部材が開き、糞便を保持出来るように構成されている糞便収納具を、ほぼ円筒バッグ形に応用した場合の糞便収納具である。ほぼ円筒バッグ形糞便収納具１内開口部４近傍に設けられている係止部２に糞便収納保持部材７に設けている係止用孔９を取りつけ、水溶性シートで形成されている糞便収納袋１１の内側にクランパ１６を挿入し、水溶性糞便収納袋１１を介してクランパ１６によって糞便１０を把持した後、水溶性糞便収納袋１１のみを反転させ、クランパ１６と共に糞便収納保持部材７の中に収納した状態を示す斜視図である。
【００２３】
ほぼ円筒バッグ形糞便収納具１内開口部４近傍に設けられている係止部２は
フック、紐、ボタン、面ファスナー、磁石などバッグの形状に合わせて変えることが出来るが例示したものはフックを取り付けたものである。その係止部２に取り付けられるよう係止用孔９を設けた非透水性合成樹脂、天然ゴム、合成ゴム、撥水加工された布、撥水加工された不織布などの素材を用いた糞便収納保持部材７をハンモック状に取り付けることにより、ほぼ円筒バッグ形糞便収納具１と糞便収納保持部材７との間に空隙部１２を設けることが出来、万が一糞便収納保持部材７が糞便１０によって汚れてもほぼ円筒バッグ形糞便収納具１を汚すことはない。又、糞便収納保持部材７は非透水性で外面に糞便の水分などが漏れることはないが万が一糞便収納保持部材７が汚れても取り外して洗うこともでき、また、他の糞便収納保持部材７と取り替える事もできる。
【００２４】
又、ほぼ円筒バッグ形糞便収納具１を閉める場合は留め具３としているが磁石、差し込み式、ボタン、紐、面ファスナー、スライドファスナーなどいろいろ用いてもよいが、例示しているものは差し込み式留め具３を使用している。又、ほぼ円筒バッグ形糞便収納具１を閉めた後、動物を散歩させて動物の動きにより水溶性糞便収納袋１１に収容されている糞便１０が揺れても、クランパ１６が水溶性糞便収納袋１１に収容されている糞便１０の上を覆っているので揺れも最小限に押さえられ糞便収納保持部材７を汚す可能性は低い。又、糞便収納保持部材７の横面対向２辺に襠８を設けているので動物の動きにより糞便１０が揺れても糞便収納保持部材７の外に滑落することはない。又、糞便１０により糞便収納保持部材７が汚れると心配な場合はナイロン袋の中に糞便１０を入れた水溶性糞便収納袋１１を入れて、帰宅後に糞便１０と水溶性糞便収納袋１１のみを水洗トイレに捨てることが出来る。万が一クランパ１６が汚れた場合でも合成樹脂素材を用いれば容易に洗うことも出来、洗う場所がない場合はクランパ１６の素材に厚紙などを用いれば使い捨てに出来るのでゴミ箱などに捨てればよい。
【００２５】
又、ほぼ円筒バッグ形糞便収納具１、糞便収納保持部材７、クランパ１６に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。その上ほぼ円筒バッグ形糞便収納具１内側に消臭剤を入れるポケット６を取り付け、その中に消臭剤を入れておけばほぼ円筒バッグ形糞便収納具１を持って出かけても人の目を気にしなくてもよい。
又、クランパ１６、水溶性糞便収納袋１１、ナイロン袋などはあらかじめ糞便収納保持部材７の中に収納しておけば動物が糞便をした場合すぐに使用することが出来る。
又、ほぼ円筒バッグ形糞便収納具自体合成樹脂にすればバッグを洗うことも出来、その他の素材にする場合撥水加工などを施しておけばバッグ自体が汚れても洗う事が出来る。
【００２６】
図２は、請求項２記載のほぼ円筒バッグ形糞便収納具１を留め具３によって閉じた状態を示す斜視図である。ほぼ円筒バッグ形糞便収納具１の場合は、ほぼ円筒バッグ形糞便収納具１が転がらないように、底外面４カ所に突状部材５を設けて安定させるのが好ましい。
又、ほぼ円筒バッグ形糞便収納具の取手を短くも長くも出来るようにしておけば、長くした場合肩に掛けられる為両手を使うことが出来、いろいろな荷物を持つことができ便利である。
【００２７】
図３は、請求項５記載の糞便収納保持部材7斜視図である。様々な形の糞便収納具の開口部４近傍に設けてある係止部２に着脱可能に取り付けられる糞便収納保持部材7であり、方形シートの対向二辺に係止用孔9を設け、他方の対向二辺に襠8を設けている。又、方形シートに形成されている糞便収納保持部材７は非透水性合成樹脂、天然ゴム、合成ゴム、撥水加工された布、撥水加工された不織布などの素材を用いれば万が一糞便１０により水分が出ても方形シートに形成されている糞便収納保持部材７外面に水分が漏れることはない。
【００２８】
又、他方の対向二辺に襠８が設けてあるので犬などの動物の動きにより水溶性糞便収納袋１１に収容されている糞便１０がブラブラ揺れても糞便収納具自体を汚すことはなく、又、糞便収納保持部材７から滑落することもない。万が一糞便収納保持部材７が汚れても容易に糞便収納保持部材７を取り外し水洗いすることが出来る。
【００２９】
又、糞便収納保持部材７の形状もバッグなどの形状により変化することもある。例えば糞便収納具の形状により糞便収納保持部材７の襠を必要としないで糞便収納具自体が糞便収納保持部材７の襠８の役目をする場合変化することが可能である。
又、糞便収納保持部材７に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００３０】
図４は、請求項３記載の水溶性シートにて形成されている糞便収納袋１１の正面図である。水溶性糞便収納袋１１の開口部１４からクランパ１５を挿入し水溶性糞便収納袋１１を介してクランパ１５によって糞便１０を把持した後反転させ糞便収納保持部材７の中に収納し、持ち帰った後クランパ１５を離脱させ糞便１０と共に水洗トイレに捨てることが出来る。
【００３１】
図５は、請求項３記載のクランパ１５の斜視図であり、手で握りやすい横長の半円弧状にし、糞便１０を把持出来るようにしたものである。クランパ１５を横長の半円弧状にすることにより手で握りやすく、水溶性糞便収納袋の開口部が横長になっている為、クランパを水溶性糞便収納袋内に挿入しやすく、水溶性糞便収納袋を介してクランパによって糞便を一度に挟み上げた後、水溶性糞便収納袋のみを反転させ糞便を収納した水溶性糞便収納袋と共に糞便収納保持部材に収納する事が出来る。
【００３２】
又、クランパを使用する際は適時撓んで糞便を落ちこぼすことなく挟み取ることが出来る。クランパ１５の材質に合成樹脂素材を用いてもよく、又、使い捨てにする場合は厚紙や環境に考慮して自然素材を用いて土にかえる素材を用いるのが好ましい。又、汚れた場合に捨てる素材を用いた場合は少なくともクランパ１５の表面裏面一方に非透水性のコーティングを施しておけばよい。
【００３３】
又、素材に合成樹脂を用いた場合クランパ１５に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００３４】
図６は、請求項３記載のクランパ１６の両端に折り返し把持部を設けたクランパ１６の斜視図である。軟便などの場合横長の半円弧状に形成されているクランパ１６の両端を内側に折り返すことで、使用する際クランパ１６を握ることにより両端の折り返し把持部１７が閉鎖するぐらい付き合わさり軟便も容易に把持することが出来る為、クランパ１６両端を内側に折り返し把持部を設けることが好ましい。
【００３５】
又、クランパ１６の材質に合成樹脂素材を用いてもよく、又、使い捨てにする場合は厚紙や環境に考慮して自然素材を用いて土にかえる素材を用いるのが好ましい。又、汚れた場合に捨てる素材を用いた場合は少なくともクランパ１６の表面裏面一方に非透水性のコーティングを施しておけばよい。又、素材に合成樹脂を用いた場合クランパ１６に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００３６】
図７は、請求項２記載の糞便収納具を半円バッグ形に応用した場合の半円バッグ形糞便収納具１８の正面図である。前面にポケットティッシュペーパーなどを入れる収納ポケット１９を設けているので水溶性糞便収納袋１１などを入れるのに便利である。又、留め具３としてバッグの形状によりいろいろ変えることができるが、例示しているものはスライドファスナーを使用している。又、糞便１０をする場所によって半円バッグ形糞便収納具１８が汚れる可能性がある為、底外面４箇所に突状部材を設けるのが好ましい。
【００３７】
図８は、請求項２記載の糞便収納具を半円バッグ形に応用した場合の半円バッグ形糞便収納具１８の背面図である。背面に水筒、ブラシなどを入れる収納ポケット１９を設けているので、糞便収納具以外にもお散歩バッグとして利用でき幅広く使用する事が出来る。
【００３８】
図９は、請求項２記載の糞便収納具を半円バッグ形に応用した場合の半円バッグ形糞便収納具１８を開口した状態を示しており、開口部４近傍に糞便収納保持部材７の係止用孔９が取り付けられるよう係止部２を設け、糞便収納保持部材７をハンモック状に取り付けた状態を示し、その中に水溶性シートで形成されている糞便収納袋１１の内側にクランパを挿入し、水溶性糞便収納袋を介してクランパによって糞便１０を把持した後、水溶性糞便収納袋のみを反転させ、クランパ１６と共に糞便収納保持部材７の中に収納している状態を示す斜視図である。
【００３９】
万が一水溶性糞便収納袋に収容されている糞便１０により糞便収納保持部材７が汚れても取り外して洗うことも出来、新しい糞便収納保持部材７に取り替えることもできる。又、開口部４を閉めれば半円バッグ形糞便収納具１８と糞便収納保持部材７の間に空隙部１２が出来、糞便収納保持部材７が万が一汚れても半円バッグ形糞便収納具１８が汚れることはない。
又、半円バッグ形糞便収納具に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００４０】
図１０は、半円バッグ形糞便収納具１８の取手１３を長くした正面図である。取手１３を長くし、肩に掛けられるようにすれば両手が使え動物の思いも寄らない動きに対応しやすくなる。取手１３は短くも長くも出来るよう取り外し可能にするのが好ましい。
【００４１】
図１１は、請求項２記載の糞便収納具をトートバッグに応用した場合のトートバッグ形糞便収納具２０の開口部４を閉めた状態を示す斜視図である。実施例では留め具３にスライドファスナーを用いているが留め具として面ファスナー、磁石、ボタン、紐などでもよい。
【００４２】
図１２は、請求項１記載の糞便収納具を四角バッグ形に応用した場合の四角バッグ形糞便収納具２１を閉めた状態を示す斜視図である。実施例では留め具３に磁石を用いて閉じた状態であるが留め具として差し込み式、面ファスナー、ボタン、紐などでもよい。
【００４３】
図１３は、請求項１記載の糞便収納具をポケット付横長バッグに応用した場合のポケット付横長バッグ形糞便収納具の斜視図である。ポケット付横長バッグ形糞便収納具２３側面に収納ポケット１９を設けることにより、動物を散歩させ水分補給する場合別に水筒を持たなければならないが糞便収納具に収納ポケット１９を設けておけば出かける際荷物を減らすことができ便利である。
又、留め具３は実施例では留め具３に差し込み式を用いて閉じた状態であるが留め具として磁石、面ファスナー、ボタン、紐などでもよい。
【００４４】
図１４は、請求項１記載の糞便収納具を上部開閉型ほぼ円筒バッグ形に応用した場合の上部開閉型ほぼ円筒バッグ形糞便収納具である。
【００４５】
図１５は、請求項２記載の糞便収納具に散歩用小道具収納部を具備した糞便収納具に応用した場合の散歩用小道具収納部を具備した糞便収納具斜視図である。
動物を散歩させる際に必要な小物を入れる散歩用小道具収納部２７と糞便を収納する糞便収納部２６にそれぞれ取り出し口が分かれており、取り出し口をそれぞれに設けた散歩用小道具収納部を具備した糞便収納具２５内もしきりがあるため、糞便１０を収納した後も抵抗なく小道具を取りだし使用する事が出来る。
【００４６】
糞便１０は水溶性シートで形成されている糞便収納袋１１の中にクランパ１５を挿入し水溶性糞便収納袋１１を介してクランパ１５によって糞便を把持し、水溶性糞便収納袋のみを反転させ、クランパ１５と共に糞便収納保持部材７の中に収納しているため、糞便収納部２６を閉めれば糞便収納部２６と糞便収納保持部材７との間に空隙部１２ができ、万が一糞便収納保持部材７が糞便１０によって汚れても糞便収納部２６が汚れることはない。
【００４７】
又、糞便収納保持部材７は非透水性素材、例えば非透水性合成樹脂、天然ゴム、合成ゴム、撥水加工された布、撥水加工された不織布などを用いているため外面に糞便などの水分が漏れることはないが、万が一汚れた場合は取り外して洗うことも出来、又、他の糞便収納保持部材に取り替える事もできる。
【００４８】
又、取り出し口の留め具３は糞便収納具の形状によっていろいろ考えられるが例示したものはスライドファスナーを用いている。散歩用小道具収納部２７と糞便収納部２６は別々の取り出し口ではあるが糞便収納具の形状が一つになることで水筒、ブラシ、遊具のボールなどをいれた小物入れと糞便収納袋を別々に持つ不便さをなくし動物を連れての遠出も心配なく行くことが出来る。
又、取り出し口をそれぞれに設けた糞便収納具２５に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００４９】
図１６は、請求項２記載の糞便収納具を布用バッグに応用した場合の布を用いた糞便収納具の斜視図である。布用バッグの場合、布を用いた糞便収納具２８表裏面に撥水加工を施しておけばよい。又、外面に水筒、櫛、ポケットティッシュ、水溶性糞便収納袋などを入れるポケット１９を設けておけばおでかけバッグとして重宝である。又、例示した布を用いた糞便収納具は一例であってあらゆる形にすることが出来る。又、布を用いた糞便収納具２８に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００５０】
図１７は請求項１記載の糞便収納具をペット用キャリーバッグと同型にした糞便収納具に応用したキャリーバッグ形糞便収納具である。キャリーバッグ形糞便収納具２９を取り付け具３０を用いて取り付けた状態を示す斜視図である。動物が糞便１０をするまではペット用キャリーバッグ３１の中に収納しておき、糞便１０をした時にペット用キャリーバッグ３１から取り出し、糞便１０を水溶性シートで形成されている糞便収納袋１１の中にクランパ１５を挿入し水溶性糞便収納袋１１を介してクランパ１５によって糞便１０を把持し、水溶性糞便収納袋１１のみを反転させ、クランパ１５と共に糞便収納保持部材７の中に収納してキャリーバッグ形糞便収納具２９の開口部を閉じ、取り付け具３０を用いて取り付ければ余分な荷物を持つ必要がない。
【００５１】
又、ペットと一緒に糞便１０をペット用キャリーバッグ３１に入れるのは抵抗あるがペット用キャリーバッグ３１と同型のキャリーバッグ形糞便収納具２９に入れることにより統一感が出て他の人から見て糞便が入っているとは思われない。又、糞便１０を糞便収納保持部材７に収納する場合、水溶性糞便収納袋に収納している糞便１０の上をクランパ１５が覆うことにより糞便がつぶれにくいという効果がある。
【００５２】
又、キャリーバッグ形糞便収納具２９の素材に柔らかい素材を用いれば使用するまでペット用キャリーバッグ３１に入れておいてもじゃまにならない。又、例示したキャリーバッグ形糞便収納具２９のデザインは一例であって様々なデザインにすることが出来る。キャリーバッグ形糞便収納具２９の素材が非透水性でなければ撥水加工を施しておけばよい。又、キャリーバッグ形糞便収納具２９に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００５３】
図１８は、ペット用キャリーバッグ内に収納可能な柔らかい素材を用いた糞便収納具３２の斜視図である。留め具にスライドファスナーを用いたデザインの一例である。
【００５４】
図１９は、ペット用カートにほぼ円筒バッグ形糞便収納具１を取り付けた状態を示す斜視図である。ペットと一緒に糞便１０をペット用カート３３の中に入れておくのは抵抗あるが、ペット用カート３３の側面に係止部２を設け係止部２にほぼ円筒バッグ形糞便収納具１を取り付けておけば、余分な荷物を持つことなく散歩することが出来る。又、ほぼ円筒バッグ形糞便収納具１は一例であってさまざまな糞便収納具を取り付けることができる。
【００５５】
図２０は、老人用歩行補助車３４側面に係止部２を設け、糞便収納保持部材７を取り付けた状態を示す斜視図である。糞便収納保持部材７の係止用孔９を係止部２に着脱自在に取り付け、その中に水溶性シートにて形成されている糞便収納袋１１とクランパ１５、ナイロン袋などを入れておき、散歩中動物が糞便１０をした場合水溶性シートにて形成されている糞便収納袋１１の中にクランパを挿入し、水溶性糞便収納袋１１を介してクランパ１５によって糞便１０を把持し、水溶性糞便収納袋１１のみを反転させた後クランパ１５と共に糞便収納保持部材７の中に収納し持ち帰ることが出来、高齢者の方が犬などの動物を連れての散歩をする際なるべく荷物を少なくしたいという思いを解消させたものである
【００５６】
又、糞便収納保持部材７が汚れると心配な場合はナイロン袋に糞便を収納した水溶性糞便収納袋１１を入れて持ち帰り、糞便１０と水溶性糞便収納袋のみをトイレに捨てればよい。なお糞便収納保持部材は非透水性合成樹脂素材、天然ゴム、合成ゴム、撥水加工された布、撥水加工された不織布などの素材を用い、糞便から万が一水分が出た場合も糞便収納保持部材７の外面に漏れることはない。又、糞便収納保持部材７が汚れた場合でも取り外して洗うことも容易であり、又取り替える事もできる。
【００５７】
実施例では糞便収納保持部材７を取り付けているが糞便収納具を取り付けるのが好ましい。高齢者の為の歩行補助車の中に糞便を処理した袋を入れるのは抵抗あるが、歩行補助車側面などに係止部を設け、糞便収納具又は、非透水性素材を用いた糞便収納保持部材をそのまま着脱可能に取り付ければ犬などの動物との散歩も容易にでき、抵抗もなくあらゆる問題を解決させることが出来る。
【００５８】
図２１は、水溶性糞便収納袋を収納する収納小袋３５斜視図である。糞便収納具の形状によって糞便収納袋を収納するポケットが設けられない場合は別に収納小袋３５を作り本体の糞便収納具に取り付けられるようにしておけばよく、実施例ではほぼ円筒バッグ形糞便収納具１に応用した場合の形状になっている。収納小袋３５上部に取り付け部３６を設け本体の糞便収納具の取手に取り付けられるようにしておけばよい。
【００５９】
又、実施例では開口部をスライドファスナーにしているが磁石、ボタン、面ファスナー、紐などでもよい。また犬などの動物の動きにより収納小袋３５がブラブラ揺れるようであれば、収納小袋３５片面と本体の糞便収納具の片面に留め具３を設けておけばよい。実施例では磁石にしているが例えば面ファスナー、ボタン、紐などを取り付け固定出来るようにしておけばよい。糞便収納具の形状に合わせてデザインを変えれば見た目もよい。収納小袋３５が糞便収納具に装着してあれば散歩中犬などの動物のお腹の調子が悪く下痢や軟便などの糞便をした場合水溶性糞便収納袋１１が複数枚必要になる。そうした場合便利である。
【００６０】
図２２は、ほぼ円筒バッグ形糞便収納具１に収納小袋３５の取り付け部を取り付け材を用いて取り付けた状態を示す斜視図である。
【００６１】
図２３は、ほぼ円筒バッグ形糞便収納具１に水筒などをいれる収納袋３８を取り付け材３７を用いて取り付けた状態を示す斜視図である。
【００６２】
図２４は、収納ポケット１９を設けたほぼ円筒バッグ形糞便収納具１背面斜視図である。散歩中犬などの動物が糞便１０をする回数が１回とは限らない、例えばお腹の調子が悪く下痢や軟便などの場合水溶性糞便収納袋１１が複数枚必要になる。そうした場合水溶性糞便収納袋１１を収納するポケットが設けてあれば水溶性糞便収納袋１１を収納しておけるので便利である。
【００６３】
図２５は、請求項２記載のほぼ円筒バッグ形糞便収納具１側面に蓄光性蛍光体のＮ夜光３９を施した斜視図である。糞便収納具の少なくとも表面の一部に光反射材、夜光顔料、発光ダイオードなどを施すことで夜の散歩をする際、車の運転手に居場所を教える事が出来、事故に遭う可能性を下げることが出来る。光反射材はシールなど様々出ており安価なので利用しやすい。
【００６４】
又、蓄光性蛍光体の高輝度長残光性蛍光体Ｎ夜光３９は放射性物質を含まず暗闇で長時間発光し、残光、輝度が従来品の１０倍もあり耐光性、耐候性に優れ、化学的安定性が高く環境につよい。又、人と地球に優しいなどの効果がある為Ｎ夜光３９を施すことが好ましい。
【００６５】
又、糞便収納具の形状により発光ダイオードを施す場合、発光ダイオードは熱を放出することなく余分なエネルギーを消費しないため寿命が大変優れているなどの効果があり糞便収納具の形状に合わせて効果的なものを取り付ければよい。又、ほぼ円筒バッグ形糞便収納具１は一例であって様々な糞便収納具に取り付けることが好ましい。
又、図柄は動物、足形、植物、幾何学模様などいろいろ考えることができる。
【図面の簡単な説明】
【００６６】
【図１】ほぼ円筒バッグ形に応用した場合の糞便収納具の斜視図である。
【図２】ほぼ円筒バッグ形に応用した場合の糞便収納具を閉じた状態の斜視図である。
【図３】糞便収納保持部材の斜視図である。
【図４】水溶性シートにて形成されている糞便収納袋の正面図である。
【図５】クランパ斜視図である。
【図６】両端に折り返し把持部を設けたクランパ斜視図である。
【図７】半円バッグ形に応用した場合の糞便収納具の正面図である。
【図８】半円バッグ形に応用した場合の糞便収納具の背面図である。
【図９】半円バッグ形に応用した場合の糞便収納具を開口した状態を示す斜視図である。
【図１０】半円バッグ形に応用した場合の糞便収納具の取手を長くした正面図である。
【図１１】トートバッグ形に応用した場合の糞便収納具を閉じた状態を示す斜視図である。
【図１２】四角バッグ形に応用した場合の糞便収納具を閉じた状態を示す斜視図である。
【図１３】ポケット付横長バッグ形に応用した場合の糞便収納具を閉じた状態を示す斜視図である。
【図１４】上部開閉型ほぼ円筒バッグ形に応用した場合の糞便収納具を開口した状態を示す斜視図である。
【図１５】散歩用小道具収納部を具備した糞便収納具の糞便収納部のみを開口した状態を示す斜視図である。
【図１６】布を用いた糞便収納具の斜視図である。
【図１７】ペット用キャリーバッグにキャリーバッグ形糞便収納具を取り付けた状態を示す斜視図である。
【図１８】ペット用キャリーバッグに収納可能な柔らかい素材を用いた糞便収納具の斜視図である。
【図１９】ほぼ円筒バッグ形糞便収納具をペット用カートに取り付けた状態を示す斜視図である。
【図２０】歩行補助車に糞便収納保持部材を取り付けた状態を示す斜視図である。
【図２１】収納小袋の斜視図である。
【図２２】収納小袋を取り付けた状態のほぼ円筒バッグ形糞便収納具の斜視図である。
【図２３】水筒を入れた収納袋を取り付けた状態のほぼ円筒バッグ形糞便収納具の斜視図である。
【図２４】収納ポケットを設けたほぼ円筒バッグ形糞便収納具の背面斜視図である。
【図２５】蓄光性蛍光体Ｎ夜光を用いた図柄を施したほぼ円筒バッグ形糞便収納の斜視図である。
【符号の説明】
【００６７】
１・・・・・・・ほぼ円筒形糞便収納具
２・・・・・・・係止部
３・・・・・・・留め具
４、１４・・・・開口部
５・・・・・・・突状部材
６・・・・・・・消臭剤入れポケット
７・・・・・・・糞便収納保持部材
８・・・・・・・襠
９・・・・・・・係止用孔
１０・・・・・・糞便
１１・・・・・・水溶性糞便収納袋
１２・・・・・・空隙部
１３・・・・・・取手
１５・・・・・・クランパ
１６・・・・・・両端に折り返し把持部を設けたクランパ
１７・・・・・・折り返し把持部
１８・・・・・・半円バッグ形糞便収納具
１９・・・・・・収納ポケット
２０・・・・・・トートバッグ型糞便収納具
２１・・・・・・四角バッグ形糞便収納具
２２・・・・・・上蓋式開口部
２３・・・・・・ポケット付横長バッグ形糞便収納具
２４・・・・・・上部開閉型ほぼ円筒バッグ形糞便収納具
２５・・・・・・散歩用小道具収納部を具備した糞便収納具
２６・・・・・・糞便収納部
２７・・・・・・散歩用小道具収納部
２８・・・・・・布を用いた糞便収納具
２９・・・・・・キャリーバッグ形糞便収納具
３０・・・・・・取り付け具
３１・・・・・・ペット用キャリーバッグ
３２・・・・・・柔らかい素材を用いた糞便収納具
３３・・・・・・ペット用カート
３４・・・・・・歩行補助車
３５・・・・・・収納小袋
３６・・・・・・取り付け部
３７・・・・・・取り付け材
３８・・・・・・収納袋
３９・・・・・・蓄光性蛍光体Ｎ夜光を用いた図柄
【図１】
2008029313.tif 000003
【図２】
2008029313.tif 000004
【図３】
2008029313.tif 000005
【図４】
2008029313.tif 000006
【図５】
2008029313.tif 000007
【図６】
2008029313.tif 000008
【図７】
2008029313.tif 000009
【図８】
2008029313.tif 000010
【図９】
2008029313.tif 000011
【図１０】
2008029313.tif 000012
【図１１】
2008029313.tif 000013
【図１２】
2008029313.tif 000014
【図１３】
2008029313.tif 000015
【図１４】
2008029313.tif 000016
【図１５】
2008029313.tif 000017
【図１６】
2008029313.tif 000018
【図１７】
2008029313.tif 000019
【図１８】
2008029313.tif 000020
【図１９】
2008029313.tif 000021
【図２０】
2008029313.tif 000022
【図２１】
2008029313.tif 000023
【図２２】
2008029313.tif 000024
【図２３】
2008029313.tif 000025
【図２４】
2008029313.tif 000026
【図２５】
2008029313.tif 000027
【手続補正書】
【提出日】平成18年8月10日(2006.8.10)
【手続補正１】
【補正対象書類名】特許請求の範囲
【補正対象項目名】請求項１
【補正方法】変更
【補正の内容】
【請求項１】
糞便収納具開口が開閉自在に設けられ、糞便収納具内開口近傍に設けられている係止部に糞便収納保持部材が着脱可能に装着されており、糞便を前記糞便収納保持部材にて保持するように構成されている糞便収納具。
【手続補正２】
【補正対象書類名】明細書
【補正対象項目名】全文
【補正方法】変更
【補正の内容】
【発明の詳細な説明】
【技術分野】
【０００１】
本発明は、犬を散歩させる際使用する糞便収納具であり、水溶性シートにて形成されている糞便収納袋の内側にクランパを挿入し、水溶性糞便収納袋を介してクランパによって糞便を把持した後、水溶性糞便収納袋のみを反転させ糞便を収納した水溶性糞便収納袋とクランパを共に糞便収納具内の開口近傍に設けられている係止部に着脱可能に取り付けられている糞便収納保持部材に収納し、糞便収納具を閉じ持ち帰った後、糞便を把持しているクランパを離脱させ、水溶性糞便収納袋と糞便をトイレに捨てることが出来ることを目的とした糞便収納具である。
【背景技術】
【０００２】
犬の糞取り具は種種提案されているが、例えば、実用新案登録第３０８３９８８号記載の「携帯用フン処理セット」は、ふんとりバサミの柄に可動するリングをはめ、向かい合った先の二つの面をそれぞれスコップ形とくし形にした形状であり、又、フンとフン取りバサミ入れバッグは口の開閉の時、内枠の固定もできることを特徴とした携帯用フン処理セットである。
【０００３】
又、特開２００１−８５７１号公報に開示された「犬の糞回収具及びその収納バッグ」は、左右一対の挟持部材が先端部を開放させると共に、復元性を有してＶ字状に連結され、各挟持部材の先端部の近傍に、この先端部を介して外側に折り返される袋の口を止め付けるための止め付け部が形成され、又袋の底の一方側を懸吊状に止め付けるための袋の底用の止め付け部が一方の挟持部材の基端寄りに形成され、袋の口用の止め付け部と、底用の止め付け部とが、袋を通すための切窓状の開口部と、この開口部に臨まれると共に袋を挟着させるスリット状の切り込みを設けた挟持部材と、展開自在に形成された収納バッグの側部が折り戸状に形成され、この一方の側部から他方の側部にわたって本体部の収納スペースが幅狭状に形成されたことを特徴とするバッグからなる「犬の糞回収具及びその収納バッグ」である。
【特許文献１】登実第３０８３９８８公報
【特許文献２】特開２００１−８５７１公報
【発明の開示】
【発明が解決しようとする課題】
【０００４】
前記実用新案登録第３０８３９８８号公報記載の「携帯用フン処理セット」は、ふんとりバサミの柄に可動するリングをはめ、向かい合った先の二つの面をそれぞれスコップ形とくし形にした形状であり、バッグ内枠に捨て用内袋をつけることにより、内袋ごとフンを捨てられる携帯用フン処理セットであるが、バッグの内側開口部から下向きにホック付きテープが取り付けられ、内枠に薄い捨て用の内袋を内側から外側に向かってかぶせ、内袋の内側と外へかぶさった分とで二重になった部分を、バッグに取り付けたホック付きテープで、内枠をまたぐようにして内側からと外側からとめる構造になっているが、捨てよう内袋上部４箇所に穴があいているのかどうか説明がなく不十分である。万が一穴が開いていない場合、二重になった内袋の上からホック付きテープで止めた場合犬の動きによりはずれる可能性がある。又、捨て用内袋はどのような材質か分からず、フンを内袋ごと捨てられると記載されているが、水溶性袋とは書かれておらず一軒家やマンションの水洗トイレに捨てるとは考えずらい欠点がある。
【０００５】
又、フンを挟む場合つかみバサミに直接フンがふれるので持ち帰ってからつかみバサミを洗わなければならない煩わしさがある。近年マンションで愛玩用の犬を飼う人も多くフンの付着したふんとりバサミの洗い場所に困る欠点がある。その上フンを直接挟んで持ち手付きバッグに入れる際フンが持ち手にふれたり、バッグの縁にふれたりする可能性があり、万が一持ち手にフンがふれた場合フンをした後、犬を散歩させることが苦痛になる欠点がある。又、フン処理後のふんとりバサミはバッグに入れることが出来ないため別に持たなければならない欠点がある。
【０００６】
又、特開２００１−８５７１号公報記載の「犬の糞回収具及びその収納バッグ」は、犬の糞を回収する挟持部材と糞を収納する袋の口を止め付けるための止め付け部を設けた犬の糞回収具であるが、糞を収納する袋の口を外側に折り返し、各挟持部材の開口部に外側から内方に通し、先端部側に引いて切り込みに挟み付ける。又その後、袋の底の一方側を挟持部材の開口部に通し、先端部側に引いて切り込みに挟み付けるといった煩わしい動作をしなければならない。その上、袋の素材をポリエチレン製の樹脂袋を用いた場合家のトイレに袋ごと捨てるわけにいかない欠点がある。
【０００７】
又、袋に糞を収納した後そのままの状態で収納バッグに入れて持ち帰り、挟持部材の止め付け部に取り付けた糞の入った袋を取り外す動作をしなければならない。又、そのままの状態で収納バッグに入れて持ち帰る場合、挟持部材先端が糞によって汚れていることが考えられ収納バッグに糞が付着する可能性がある。又、挟持部材が収納バッグに収納しきれない形状になっているので糞便の臭いが漂う可能性がある。又、収納バッグは展開自在にホックで連結されるよう形成されているが犬の動きによりホックがはずれる可能性がある。又、犬の散歩は大人に限らず子供も散歩をさせる為、なるべく簡単に糞便が把持でき糞便収納具に収納出来るかが大事である。
本発明は、これ等の欠点を解消させた糞便収納具を提供することを目的とする。
【課題を解決するための手段】
【０００８】
第１の発明は糞便収納具開口が開閉自在に設けられ、糞便収納具内開口近傍に設けられている係止部に糞便収納保持部材が着脱可能に装着されており、糞便を前記糞便収納保持部材にて保持するように構成されている糞便収納具である。
第２の発明は第１の発明を前提として、糞便収納具を開口すると同時に、糞便収納具内開口近傍に設けられている係止部に取り付けられている糞便収納保持部材が開き、糞便を保持出来るように構成されている請求項１記載の糞便収納具である。
第３の発明は第１の発明を前提として、水溶性シートにて形成されている糞便収納袋の内側にクランパを挿入し、水溶性糞便収納袋を介してクランパによって糞便を把持した後、水溶性糞便収納袋のみを反転させ糞便収納保持部材の中に糞便を収納した水溶性糞便収納袋とクランパを収納する為の水溶性糞便収納袋とクランパを具備した請求項１記載の糞便収納具である。
第４の発明は第３の発明を前提として、クランパを手で握りやすい横長の半円弧状にし、糞便を把持出来るようにしたことを特徴とする糞便収納具である。
第５の発明は第１の発明を前提として糞便収納保持部材に非透水性素材を用いて形成されている糞便収納具である。
第６の発明は第１の発明を前提として、糞便収納具、糞便収納保持部材、クランパに抗菌処理を施したことを特徴とした糞便収納具である。
【発明の効果】
【０００９】
本発明は、以下の記載されるような効果を奏する。
犬の糞取り具は種種提案されているが、糞の後始末後ナイロンから糞が見えたり、犬の動きにより糞を入れた袋を持って歩く時、糞がブラブラ揺れるのが分かったりするものが多く、又、起伏にとんだ場所、例えば石と石の間、木の根っこ、道路と歩道の段差近くなどはナイロン袋などに手を入れて、手で挟み取ってひっくり返し持ち帰っていた。
【００１０】
又、軟便などは手で挟んでもなかなか上手く取れないものである。本発明の糞便収納具は一見普通の女性用バッグに見え、糞便収納具の口を開けてはじめて犬の糞便収納具と分かり、糞便を糞便収納具の外から見ることは出来ない。        又、糞便収納具内開口近傍に係止部を設けてあるため、着脱可能な糞便収納保持部材の係止用孔を係止部にハンモック状に取り付けることにより、糞便収納具と糞便収納保持部材の間に空隙部が出来、糞便収納保持部材が万が一汚れた場合でも糞便収納具は汚れることはない。又、クランパを水溶性シートにて形成されている糞便収納袋の内側に挿入し、水溶性糞便収納袋を介してクランパによって糞便を把持した後、水溶性糞便収納袋のみを反転させ糞便収納保持部材の中にクランパと共に入れ糞便収納具の口を閉じれば、クランパが直接糞便にふれることなく水溶性糞便収納袋の上から保持した状態で収納することが出来る。又、糞便収納具を持ち歩く時に揺れても糞便を収納した水溶性糞便収納袋の上からクランパが覆う形になり糞便が潰れにくい効果がある。又、動物の動きにより糞便が揺れても糞便収納保持部材の対向二辺に襠を設けているので糞便を収納している水溶性糞便収納袋が糞便収納保持部材から滑落する事もなく糞便収納具を汚すことはない。糞便を収納した後、糞便収納具の口を閉じ動物と一緒に散歩をしていても普通の女性用バッグにしか見えない。又、糞便収納具の素材を皮、合成樹脂、布などいろいろ変えることも出来、デザインなども糞便収納具の形を様々な形にすることが出来る。
【００１１】
又、糞便収納保持部材を非透水性合成樹脂、天然ゴム、合成ゴム、撥水加工された布、撥水加工された不織布などにすることにより万が一糞便により糞便収納保持部材が汚れても糞便収納保持部材の外面に水分が漏れることもなく、又、糞便収納保持部材が着脱可能に装着されており、汚れた場合取り外して水洗いする事が出来る。又、他の糞便収納保持部材と取り替えることもできる。
【００１２】
又、クランパは起伏にとんだどんな場所でも使用する事が出来、手で糞便を挟むことはなく糞便を掴んだ嫌な感触も感じることはない。又、軟便の場合袋に手を入れて掴むのは困難である。本発明のクランパは手で握りやすい横長の半円弧状に形成されており糞便をはさみ易くしているため、細長い柄を操作して先端の挟み具で挟むようなもどかしさがない。（例えば実登第３０８３９８８号公報記載の携帯用フン処理セットはふんとりバサミの柄にリングをはめ、向かい合った先の二つの面をそれぞれ、スコップ形とくし形にした携帯用フン処理セットである。）又、挟持部材先端が複雑な形状（例えば特開２００１−８５７１号公報記載の挟持部材は先端部に袋を止め付けるための止め付け部を設けた形状である。）本発明は大人でも子供でも簡単に糞便あるいは軟便を挟み取ることができる。  又、軟便の場合クランパ両端部をある程度の幅を持たせて内側に折り返せばより軟便を挟むことができる。
【００１３】
又、軟便の場合外出さきで２度３度糞便をすることが考えられるので糞便収納具内外の周囲に糞便収納具の形状に合わせて水溶性糞便収納袋を収納できるポケットを設けておけばよい。又、複数の動物を連れての散歩の場合にも水溶性糞便収納袋が複数枚必要な為、収納ポケットがあると便利である。糞便収納具の形状によりポケットを設けることが出来ない場合は別に水溶性糞便収納袋を収納出来る小袋を本体の糞便収納具に取り付けられるようにしておけばよい。
【００１４】
近年マンションで犬を飼う人も多くなり糞の後始末後のスコップ等洗い場に困ることもあるが、本発明は水溶性シートにて形成されている糞便収納袋とクランパを使用すればクランパが直接糞便にふれることがない為クランパを洗う必要がなく、糞便と水溶性糞便収納袋のみをトイレに流すことが出来る。
【００１５】
クランパの素材に合成樹脂などを用いても良く、又、マンションなどで洗い場がない場合、万が一クランパが糞便で汚れたときはクランパの素材に厚紙などを用いれば使い捨てが出来るため洗う必要がない。今まで糞便がナイロンの外から見えたり、スコップなどを洗う必要があった煩わしさを解消させたものである。
【００１６】
又、糞便収納具内面に消臭剤を入れることが出来るポケットを取り付け、消臭剤を差し込めば糞の臭いを消すことが出来、又、糞便収納具、糞便収納保持部材、クランパに抗菌処理例えば太陽光を当てれば抗菌される光触媒は太陽光が当たると汚れがつきにくい、簡単に汚れが水で洗い落とせる、抗菌、脱臭などの機能を発するので、そのような効果のある光触媒を施すことでいつまでも気持ちよく使用することが出来る。
【００１７】
又、糞便収納具外周の少なくとも１箇所に光反射材、蓄光性夜光顔料を用いた図柄を取り付けるか又は、発光ダイオードを用いた図柄を施せば夜道の散歩をする場合車の運転手に居場所を教えることが出来、交通事故に遭う可能性を下げることができる。
【００１８】
又、年々高齢者の人口が増え、高齢者の方にとって犬などの動物は癒しにもなり、家族として接している人も少なくない。そういう高齢者の方は犬などの動物を連れての散歩をする場合なるべく荷物を少なくしたいものである。
【００１９】
高齢者の為の歩行補助車の中に糞便を処理した袋を入れるのは抵抗あるが、歩行補助車側面などに係止部を設け、糞便収納具又は、非透水性合成樹脂素材、天然ゴム、合成ゴム、撥水加工された布、撥水加工された不織布などの素材を用いた糞便収納保持部材をそのまま着脱可能に取り付ければ万が一糞便により水分が出ても外面に漏れることも無く、犬などの動物との散歩も容易にできる。
【００２０】
又、ペット用カート側面に係止部を設け、糞便収納具を取り付けることができる。又、ペット用キャリーバッグの取手にも取り付け具を用いて糞便収納具を取り付けることが出来る。
【００２１】
又、糞便収納具内外にペット用小道具を入れる小道具収納部もしくはポケットを具備しておけば散歩用バッグとして幅広く使用できる。又、犬などの散歩は大人に限らず子供でもさせる為、糞便収納具はなるべく簡単で大人でも子供でも使いやすい構造にすることが好ましい。それらあらゆる問題を解決させることが出来る。
【発明を実施するための最良の形態】
【００２２】
本発明の実施例を図面に基づいて説明する。
図１は、請求項２記載の糞便収納具を開口すると同時に、糞便収納具内開口近傍に設けられている係止部に取り付けられている糞便収納保持部材が開き、糞便を保持出来るように構成されている糞便収納具を、ほぼ円筒バッグ形に応用した場合の糞便収納具である。ほぼ円筒バッグ形糞便収納具１内開口部４近傍に設けられている係止部２に糞便収納保持部材７に設けている係止用孔９を取りつけ、水溶性シートで形成されている糞便収納袋１１の内側にクランパ１６を挿入し、水溶性糞便収納袋１１を介してクランパ１６によって糞便１０を把持した後、水溶性糞便収納袋１１のみを反転させ、クランパ１６と共に糞便収納保持部材７の中に収納した状態を示す斜視図である。
【００２３】
ほぼ円筒バッグ形糞便収納具１内開口部４近傍に設けられている係止部２は
フック、紐、ボタン、面ファスナー、磁石など糞便収納具の形状に合わせて変えることが出来るが例示したものはフックを取り付けたものである。その係止部２に取り付けられるよう係止用孔９を設けた非透水性素材例えば非透水性合成樹脂、天然ゴム、合成ゴム、撥水加工された布、撥水加工された不織布などの素材を用いた糞便収納保持部材７をハンモック状に取り付けることにより、ほぼ円筒バッグ形糞便収納具１と糞便収納保持部材７との間に空隙部１２を設けることが出来、万が一糞便収納保持部材７が糞便１０によって汚れてもほぼ円筒バッグ形糞便収納具１を汚すことはない。又、糞便収納保持部材７は非透水性素材を用いているので外面に糞便の水分などが漏れることはないが万が一糞便収納保持部材７が汚れても取り外して洗うこともでき、また、他の糞便収納保持部材７と取り替える事もできる。
【００２４】
又、ほぼ円筒バッグ形糞便収納具１を閉める場合は留め具３としているが磁石、差し込み式、ボタン、紐、面ファスナー、スライドファスナーなどいろいろ用いてもよいが、例示しているものは差し込み式留め具３を使用している。又、ほぼ円筒バッグ形糞便収納具１を閉めた後、動物を散歩させて動物の動きにより水溶性糞便収納袋１１に収容されている糞便１０が揺れても、クランパ１６が水溶性糞便収納袋１１に収容されている糞便１０の上を覆っているので揺れも最小限に押さえられ糞便収納保持部材７を汚す可能性は低い。又、糞便収納保持部材７の横面対向２辺に襠８を設けているので動物の動きにより糞便１０が揺れても糞便収納保持部材７の外に滑落することはない。又、糞便１０により糞便収納保持部材７が汚れると心配な場合はナイロン袋の中に糞便１０を入れた水溶性糞便収納袋１１を入れて、帰宅後に糞便１０と水溶性糞便収納袋１１のみを水洗トイレに捨てることが出来る。万が一クランパ１６が汚れた場合でも合成樹脂素材を用いれば容易に洗うことも出来、洗う場所がない場合はクランパ１６の素材に厚紙などを用いれば使い捨てに出来るのでゴミ箱などに捨てればよい。
【００２５】
又、ほぼ円筒バッグ形糞便収納具１、糞便収納保持部材７、クランパ１６に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。その上ほぼ円筒バッグ形糞便収納具１内側に消臭剤を入れるポケット６を取り付け、その中に消臭剤を入れておけばほぼ円筒バッグ形糞便収納具１を持って出かけても人の目を気にしなくてもよい。
又、クランパ１６、水溶性糞便収納袋１１、ナイロン袋などはあらかじめ糞便収納保持部材７の中に収納しておけば動物が糞便をした場合すぐに使用することが出来る。
又、ほぼ円筒バッグ形糞便収納具自体合成樹脂にすれば、ほぼ円筒バッグ形糞便収納具を洗うことも出来、その他の素材にする場合撥水加工などを施しておけば、ほぼ円筒バッグ形糞便収納具自体が汚れても洗う事が出来る。
【００２６】
図２は、請求項２記載のほぼ円筒バッグ形糞便収納具１を留め具３によって閉じた状態を示す斜視図である。ほぼ円筒バッグ形糞便収納具１の場合は、ほぼ円筒バッグ形糞便収納具１が転がらないように、底外面４カ所に突状部材５を設けて安定させるのが好ましい。
又、ほぼ円筒バッグ形糞便収納具の取手を短くも長くも出来るようにしておけば、長くした場合肩に掛けられる為両手を使うことが出来、いろいろな荷物を持つことができ便利である。
【００２７】
図３は、請求項５記載の糞便収納保持部材7斜視図である。様々な形の糞便収納具内開口部４近傍に設けてある係止部２に着脱可能に取り付けられる糞便収納保持部材7であり、方形シートの対向二辺に係止用孔9を設け、他方の対向二辺に襠8を設けている。又、方形シートに形成されている糞便収納保持部材７は非透水性素材例えば非透水性合成樹脂、天然ゴム、合成ゴム、撥水加工された布、撥水加工された不織布などの素材を用いれば万が一糞便１０により水分が出ても方形シートに形成されている糞便収納保持部材７外面に水分が漏れることはない。
【００２８】
又、他方の対向二辺に襠８が設けてあるので犬などの動物の動きにより水溶性糞便収納袋１１に収容されている糞便１０がブラブラ揺れても糞便収納具自体を汚すことはなく、又、糞便収納保持部材７から糞便が滑落することもない。万が一糞便収納保持部材７が汚れても容易に糞便収納保持部材７を取り外し水洗いすることが出来る。
【００２９】
又、糞便収納保持部材７の形状も糞便収納具などの形状により変化することもある。例えば糞便収納具の形状により糞便収納保持部材７の襠を必要としないで糞便収納具自体が糞便収納保持部材７の襠８の役目をする場合変化することが可能である。
又、糞便収納保持部材７に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００３０】
図４は、請求項３記載の水溶性シートにて形成されている糞便収納袋１１の正面図である。水溶性糞便収納袋１１の開口部１４からクランパ１５を挿入し水溶性糞便収納袋１１を介してクランパ１５によって糞便１０を把持した後、水溶性糞便収納袋１１のみを反転させ糞便収納保持部材７の中に収納し、持ち帰った後クランパ１５を離脱させ糞便１０と共に水洗トイレに捨てることが出来る。
【００３１】
図５は、請求項３記載のクランパ１５の斜視図であり、手で握りやすい横長の半円弧状にし、糞便１０を把持出来るようにしたものである。クランパ１５を横長の半円弧状にすることにより手で握りやすく、水溶性糞便収納袋の開口部が横長になっている為、クランパを水溶性糞便収納袋内に挿入しやすく、水溶性糞便収納袋を介してクランパによって糞便を一度に挟み上げた後、水溶性糞便収納袋のみを反転させ糞便を収納した水溶性糞便収納袋と共に糞便収納保持部材に収納する事が出来る。
【００３２】
又、クランパを使用する際は適時撓んで糞便を落ちこぼすことなく挟み取ることが出来る。クランパ１５の材質に合成樹脂素材を用いてもよく、又、使い捨てにする場合は厚紙や環境に考慮して自然素材を用いて土にかえる素材を用いるのが好ましい。又、汚れた場合に捨てる素材を用いた場合は少なくともクランパ１５の表面裏面一方に非透水性のコーティングを施しておけばよい。
【００３３】
又、素材に合成樹脂を用いた場合クランパ１５に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００３４】
図６は、請求項３記載のクランパ１６の両端に折り返し把持部を設けたクランパ１６の斜視図である。軟便などの場合横長の半円弧状に形成されているクランパ１６の両端を内側に折り返すことで、使用する際クランパ１６を握ることにより両端の折り返し把持部１７が閉鎖するぐらい付き合わさり軟便も容易に把持することが出来る為、クランパ１６両端を内側に折り返し把持部を設けることが好ましい。
【００３５】
又、クランパ１６の材質に合成樹脂素材を用いてもよく、又、使い捨てにする場合は厚紙や環境に考慮して自然素材を用いて土にかえる素材を用いるのが好ましい。又、汚れた場合に捨てる素材を用いた場合は少なくともクランパ１６の表面裏面一方に非透水性のコーティングを施しておけばよい。又、素材に合成樹脂を用いた場合クランパ１６に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００３６】
図７は、請求項２記載の糞便収納具を半円バッグ形に応用した場合の半円バッグ形糞便収納具１８の正面図である。前面にポケットティッシュペーパーなどを入れる収納ポケット１９を設けているので水溶性糞便収納袋１１などを入れるのに便利である。又、留め具３としてバッグの形状によりいろいろ変えることができるが、例示しているものはスライドファスナーを使用している。又、糞便１０をする場所によって半円バッグ形糞便収納具１８が汚れる可能性がある為、底外面４箇所に突状部材を設けるのが好ましい。
【００３７】
図８は、請求項２記載の糞便収納具を半円バッグ形に応用した場合の半円バッグ形糞便収納具１８の背面図である。背面に水筒、ブラシなどを入れる収納ポケット１９を設けているので、半円バッグ形糞便収納具１８以外にもお散歩バッグとして利用でき幅広く使用する事が出来る。
【００３８】
図９は、請求項２記載の糞便収納具を半円バッグ形に応用した場合の半円バッグ形糞便収納具１８を開口した状態を示しており、半円バッグ形糞便収納具１８内開口部４近傍に糞便収納保持部材７の係止用孔９が取り付けられるよう係止部２を設け、糞便収納保持部材７をハンモック状に取り付けた状態を示し、その中に水溶性シートで形成されている糞便収納袋１１の内側にクランパ１５を挿入し、水溶性糞便収納袋１１を介してクランパ１５によって糞便１０を把持した後、水溶性糞便収納袋１１のみを反転させ、クランパ１５と共に糞便収納保持部材７の中に収納している状態を示す斜視図である。
【００３９】
万が一水溶性糞便収納袋１１に収容されている糞便１０により糞便収納保持部材７が汚れても取り外して洗うことも出来、新しい糞便収納保持部材７に取り替えることもできる。又、開口部４を閉めれば半円バッグ形糞便収納具１８と糞便収納保持部材７の間に空隙部１２が出来、糞便収納保持部材７が万が一汚れても半円バッグ形糞便収納具１８が汚れることはない。
【００４０】
又、半円バッグ形糞便収納具に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
又、半円バッグ形糞便収納具自体合成樹脂にすれば、半円バッグ形糞便収納具を洗うことも出来、その他の素材にする場合撥水加工などを施しておけば、半円バッグ形糞便収納具自体が汚れても洗う事が出来る。
又、クランパ１５、水溶性糞便収納袋１１、ナイロン袋などはあらかじめ糞便収納保持部材７の中に収納しておけば動物が糞便をした場合すぐに使用することが出来る。
【００４１】
図１０は、半円バッグ形糞便収納具１８の取手１３を長くした正面図である。取手１３を長くし、肩に掛けられるようにすれば両手が使え動物の思いも寄らない動きに対応しやすくなる。取手１３は短くも長くも出来るよう取り外し可能にするのが好ましい。
【００４２】
図１１は、請求項２記載の糞便収納具をトートバッグに応用した場合のトートバッグ形糞便収納具２０であり、トートバッグ形糞便収納具２０内開口部近傍に糞便収納保持部材７の係止用孔９が取り付けられるよう係止部２を設け、糞便収納保持部材７をハンモック状に取り付け、水溶性シートで形成されている糞便収納袋１１の内側にクランパ１５を挿入し、水溶性糞便収納袋１１を介してクランパ１５によって糞便１０を把持した後、水溶性糞便収納袋１１のみを反転させ、クランパ１５と共に糞便収納保持部材７の中に収納して開口部４を閉めた状態を示す斜視図である。
【００４３】
実施例では留め具３にスライドファスナーを用いているが留め具として面ファスナー、磁石、ボタン、紐などでもよい。又、係止部２はフック、紐、ボタン、面ファスナー、磁石など糞便収納具の形状に合わせて変えることが出来るが例示したものはフックをとりつけたものである。その係止部に糞便収納保持部材７をハンモック状に取り付ければトートバッグ形糞便収納具２０と糞便収納保持部材７との間に空隙部１２が出来、水溶性糞便収納袋１１に収容されている糞便１０によって万が一糞便収納保持部材７が汚れてもトートバッグ形糞便収納具２０が汚れることはない。又、万が一水溶性糞便収納袋１１に収容されている糞便１０により糞便収納保持部材７が汚れても取り外して洗うことも出来、新しい糞便収納保持部材７に取り替えることもできる。
【００４４】
又、クランパ１５、水溶性糞便収納袋１１、ナイロン袋などはあらかじめ糞便収納保持部材７の中に収納しておけば動物が糞便をした場合すぐに使用することが出来る。又、トートバッグ形糞便収納具２０に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
又、トートバッグ形糞便収納具２０自体合成樹脂にすれば洗うことも出来、その他の素材にする場合撥水加工などを施しておけばトートバッグ形糞便収納具２０自体が汚れても洗う事が出来る。
【００４５】
図１２は、請求項１記載の糞便収納具を四角バッグ形に応用した場合の四角バッグ形糞便収納具２１である。四角バッグ形糞便収納具２１の上蓋式開口部２２が開閉自在に設けられ、四角バッグ形糞便収納具２１内上蓋式開口部２２近傍に設けられている係止部２に糞便収納保持部材７に設けている係止用孔９をハンモック状に取り付け、水溶性シートで形成されている糞便収納袋１１の内側にクランパ１５を挿入し、水溶性糞便収納袋１１を介してクランパ１５によって糞便１０を把持した後、水溶性糞便収納袋１１のみを反転させ、クランパ１５と共に糞便収納保持部材７の中に収納し、上蓋式開口部２２を閉めた状
態を示す斜視図である。
【００４６】
四角バッグ形糞便収納具２１内開口部近傍に設けられている係止部２はフック、紐、ボタン、面ファスナー、磁石など糞便収納具の形状に合わせて変えることが出来るが例示したものはフックをとりつけたものである。非透水性素材を用いた糞便収納保持部材７をハンモック状に取り付けることにより四角バッグ形糞便収納具２１と糞便収納保持部材７との間に空隙部１２を設ける事が出来、万が一糞便収納保持部材７が糞便１０によって汚れても四角バッグ形糞便収納具２１を汚すことはない。
【００４７】
又糞便収納保持部材７は非透水性素材を用いているので外面に糞便の水分などが漏れることはないが、万が一糞便収納保持部材７が汚れても取り外して洗うことも出来、又、他の糞便収納保持部材７と取り替える事もできる。
又、クランパ１５、水溶性糞便収納袋１１、ナイロン袋などはあらかじめ糞便収納保持部材７の中に収納しておけば動物が糞便をした場合すぐに使用することが出来る。
【００４８】
又、四角バッグ形糞便収納具２１を閉める留め具として磁石、差し込み式、ボタン、紐、面ファスナー、スライドファスナーなどいろいろ用いてもよいが、例示しているものは磁石を使用している。又、四角バッグ形糞便収納具２１、糞便収納保持部材７、クランパ１５に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。又、四角バッグ形糞便収納具２１自体合成樹脂にすれば洗うことも出来、その他の素材にする場合撥水加工などを施しておけば四角バッグ形糞便収納具２１自体が汚れても洗う事が出来る。
【００４９】
図１３は、請求項１記載の糞便収納具をポケット付横長バッグに応用した場合のポケット付横長バッグ形糞便収納具であり、ポケット付横長バッグ形糞便収納具２３の上蓋式開口部２２が開閉自在に設けられ、ポケット付横長バッグ形糞便収納具２１内上蓋式開口部２２近傍に設けられている係止部２に糞便収納保持部材７に設けている係止用孔９をハンモック状に取り付け、水溶性シートで形成されている糞便収納袋１１の内側にクランパ１５を挿入し、水溶性糞便収納袋１１を介してクランパ１５によって糞便１０を把持した後、水溶性糞便収納袋１１のみを反転させ、クランパ１５と共に糞便収納保持部材７の中に収納し、上蓋式開口部２２を閉めた状態を示す斜視図である。
【００５０】
糞便収納保持部材７をハンモック状に取り付けることによりポケット付横長バッグ形糞便収納具２３と糞便収納保持部材７との間に空隙部１２を設ける事が出来、万が一糞便収納保持部材７が糞便１０によって汚れてもポケット付横長バッグ形糞便収納具２３を汚すことはない。又糞便収納保持部材７は非透水性素材を用いているので外面に糞便の水分などが漏れることはないが、万が一糞便収納保持部材７が汚れても取り外して洗うことも出来、又、他の糞便収納保持部材７と取り替える事もできる。
【００５１】
又、糞便収納保持部材７は非透水性で外面に糞便の水分などが漏れることはないが、万が一糞便収納保持部材７が汚れても取り外して洗うことも出来、又、他の糞便収納保持部材７と取り替える事もできる。
又、留め具３は実施例では留め具３に差し込み式を用いて閉じた状態であるが留め具として磁石、面ファスナー、ボタン、紐などでもよい。
又、ポケット付横長バッグ形糞便収納具２３内開口部近傍に設けられている
係止部２はフック、紐、ボタン、面ファスナー、磁石など糞便収納具の形状に合わせて変えることが出来るが例示したものはフックをとりつけたものである。
【００５２】
ポケット付横長バッグ形糞便収納具２３側面に収納ポケット１９を設けることにより、動物を散歩させ水分補給する場合別に水筒を持たなければならないが糞便収納具に収納ポケット１９を設けておけば出かける際荷物を減らすことができ便利である。
又、糞便１０をする場所によってポケット付横長バッグ形糞便収納具２３が汚れる可能性がある為、底外面４箇所に突状部材を設けるのが好ましい。
又、ポケット付横長バッグ形糞便収納具２３に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００５３】
又、クランパ１５、水溶性糞便収納袋１１、ナイロン袋などはあらかじめ糞便収納保持部材７の中に収納しておけば動物が糞便をした場合すぐに使用することが出来る。
又、ポケット付横長バッグ形糞便収納具２３自体合成樹脂にすれば洗うことも出来、その他の素材にする場合撥水加工などを施しておけばポケット付横長バッグ形糞便収納具２３自体が汚れても洗う事が出来る。
【００５４】
図１４は、請求項１記載の糞便収納具を上部開閉型ほぼ円筒バッグ形に応用した場合の上部開閉型ほぼ円筒バッグ形糞便収納具２４であり、上部開閉型ほぼ円筒バッグ形糞便収納具２４の上蓋式開口部２２が開閉自在に設けられ、上部開閉型ほぼ円筒バッグ形糞便収納具２４内上蓋式開口部２２近傍に設けられている係止部２に糞便収納保持部材７に設けている係止用孔９をハンモック状に取り付け、水溶性シートで形成されている糞便収納袋１１の内側にクランパ１５を挿入し、水溶性糞便収納袋１１を介してクランパ１５によって糞便１０を把持した後水溶性糞便収納袋１１のみを反転させ、クランパ１５と共に糞便収納保持部材７の中に収納し、上蓋式開口部２２を開口した状態を示す斜視図である。
【００５５】
糞便収納保持部材７をハンモック状に取り付けることにより上部開閉型ほぼ円筒バッグ形糞便収納具２４と糞便収納保持部材７との間に空隙部１２を設ける事が出来、万が一糞便収納保持部材７が糞便１０によって汚れても上部開閉型ほぼ円筒バッグ形糞便収納具２４を汚すことはない。又糞便収納保持部材７は非透水性素材を用いているので外面に糞便１０の水分などが漏れることはないが、万が一糞便収納保持部材７が汚れても取り外して洗うことも出来、又、他の糞便収納保持部材７と取り替える事もできる。
【００５６】
又、留め具３は実施例では留め具３に差し込み式を用いて閉じた状態であるが留め具として磁石、面ファスナー、ボタン、紐などでもよい。
又、上部開閉型ほぼ円筒バッグ形糞便収納具２４内開口部近傍に設けられている係止部２はフック、紐、ボタン、面ファスナー、磁石など糞便収納具の形状に合わせて変えることが出来るが例示したものはフックをとりつけたものである。上部開閉型ほぼ円筒バッグ形糞便収納具２４の場合、上部開閉型ほぼ円筒バッグ形糞便収納具２４が転がらないように、底外面４カ所に突状部材５を設けて安定させるのが好ましい。
又、クランパ１５、水溶性糞便収納袋１１、ナイロン袋などはあらかじめ糞便収納保持部材７の中に収納しておけば動物が糞便をした場合すぐに使用することが出来る。
【００５７】
又、上部開閉型ほぼ円筒バッグ形糞便収納具２４に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。又、上部開閉型ほぼ円筒バッグ形糞便収納具２４自体合成樹脂にすれば洗うことも出来、その他の素材にする場合撥水加工などを施しておけば上部開閉型ほぼ円筒バッグ形糞便収納具２４自体が汚れても洗う事が出来る。
【００５８】
図１５は、請求項２記載の糞便収納具に散歩用小道具収納部２７を具備した散歩用小道具収納部を具備した糞便収納具２５斜視図であり、動物を散歩させる際に必要な小物を入れる散歩用小道具収納部２７と糞便を収納する糞便収納部２６にそれぞれ取り出し口４０が分かれており、取り出し口４０をそれぞれに設けた散歩用小道具収納部を具備した糞便収納具２５内もしきりがあるため、糞便１０を収納した後も抵抗なく小道具を取りだし使用する事が出来る。
【００５９】
糞便収納部２６内取り出し口４０上部２カ所と対面する壁面上部２カ所に係止部２を設け糞便収納保持部材７に設けている係止用孔９をハンモック状に取り付け、水溶性シートで形成されている糞便収納袋１１の内側にクランパ１５を挿入し、水溶性糞便収納袋１１を介してクランパ１５によって糞便１０を把持した後、水溶性糞便収納袋１１のみを反転させ、クラパ１５と共に糞便収納保持部材７の中に収納した状態を示し、糞便収納部２６のみを開口した斜視図である。
【００６０】
糞便収納部２６を閉めれば糞便収納部２６と糞便収納保持部材７との間に空隙部１２ができ、万が一糞便収納保持部材７が糞便１０によって汚れても糞便収納部２６が汚れることはない。
又、糞便収納保持部材７は非透水性素材、例えば非透水性合成樹脂、天然ゴム、合成ゴム、撥水加工された布、撥水加工された不織布などを用いているため外面に糞便などの水分が漏れることはないが、万が一汚れた場合は取り外して洗うことも出来、又、他の糞便収納保持部材に取り替える事もできる。
又、汚れが心配な場合はナイロン袋に糞便１０を収納した水溶性糞便収納袋１１を入れ、持ち帰って糞便１０と水溶性糞便収納袋１１のみをトイレに捨てればよい。
又、クランパ１５、水溶性糞便収納袋１１、ナイロン袋などはあらかじめ糞便収納保持部材７の中に収納しておけば動物が糞便をした場合すぐに使用することが出来る。
【００６１】
又、取り出し口４０の留め具３は糞便収納具の形状によっていろいろ考えられるが例示したものはスライドファスナーを用いている。散歩用小道具収納部２７と糞便収納部２６は別々の取り出し口４０ではあるが散歩用小道具収納部を具備した糞便収納具２５の形状が一つになることで水筒、ブラシ、遊具のボールなどをいれた小物入れと糞便収納袋を別々に持つ不便さをなくし動物を連れての遠出も心配なく行くことが出来る。
【００６２】
又、取り出し口４０をそれぞれに設けた散歩用小道具収納部を具備した糞便収納具２５に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
又、散歩用小道具収納部を具備した糞便収納具２５自体合成樹脂にすれば洗うことも出来、その他の素材にする場合撥水加工などを施しておけば散歩用小道具収納部を具備した糞便収納具２５自体が汚れても洗う事が出来る。
【００６３】
図１６は、請求項２記載の糞便収納具を布用バッグに応用した場合の布を用いた糞便収納具２８を開口した状態で、布を用いた糞便収納具２８開口部４近傍に糞便収納保持部材７の係止用孔９が取り付けられるよう係止部２を設け、糞便収納保持部材７をハンモック状に取り付けた状態を示し、その中に水溶性シートで形成されている糞便収納袋１１の内側にクランパ１５を挿入し、水溶性糞便収納袋１１を介してクランパ１５によって糞便１０を把持した後、水溶性糞便収納袋１１のみを反転させ、クランパ１５と共に糞便収納保持部材７の中に収納している状態を示す斜視図である。
【００６４】
糞便収納保持部材は非透水性素材を用いており糞便の水分などが外面に漏れることはないが、万が一水溶性糞便収納袋１１に収容されている糞便１０により糞便収納保持部材７が汚れても取り外して洗うことも出来、新しい糞便収納保持部材７に取り替えることもできる。又、開口部４を閉めれば布を用いた糞便収納具２８と糞便収納保持部材７の間に空隙部１２が出来、糞便収納保持部材７が万が一汚れても布を用いた糞便収納具２８が汚れることはない。
【００６５】
又、布用バッグの場合、布を用いた糞便収納具２８表裏面に撥水加工を施しておけばよい。又、外面に水筒、櫛、ポケットティッシュ、水溶性糞便収納袋などを入れるポケット１９を設けておけばおでかけバッグとして重宝である。又、例示した布を用いた糞便収納具は一例であってあらゆる形にすることが出来る。又、布を用いた糞便収納具２８に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
又、クランパ１５、水溶性糞便収納袋１１、ナイロン袋などはあらかじめ糞便収納保持部材７の中に収納しておけば動物が糞便をした場合すぐに使用することが出来る。
【００６６】
図１７は請求項１記載の糞便収納具をペット用キャリーバッグと同型にした糞便収納具に応用したキャリーバッグ形糞便収納具２９である。キャリーバッグ形糞便収納具２９を取り付け具３０を用いて取り付けた状態を示す斜視図である。動物が糞便１０をするまではペット用キャリーバッグ３１の中に収納しておき、糞便１０をした時にペット用キャリーバッグ３１からキャリーバッグ形糞便収納具２９を取り出し、糞便１０を水溶性シートで形成されている糞便収納袋１１の中にクランパ１５を挿入し水溶性糞便収納袋１１を介してクランパ１５によって糞便１０を把持し、水溶性糞便収納袋１１のみを反転させ、クランパ１５と共に糞便収納保持部材７の中に収納してキャリーバッグ形糞便収納具２９の開口部を閉じ、取り付け具３０を用いて取り付ければ余分な荷物を持つ必要がない。
【００６７】
又、ペットと一緒に糞便１０をペット用キャリーバッグ３１に入れるのは抵抗あるがペット用キャリーバッグ３１と同型のキャリーバッグ形糞便収納具２９に入れることにより統一感が出て他の人から見て糞便が入っているとは思われない。又、糞便１０を糞便収納保持部材７に収納する場合、水溶性糞便収納袋に収納している糞便１０の上をクランパ１５が覆うことにより糞便がつぶれにくいという効果がある。
【００６８】
又、キャリーバッグ形糞便収納具２９の素材に柔らかい素材を用いれば使用するまでペット用キャリーバッグ３１に入れておいてもじゃまにならない。又、例示したキャリーバッグ形糞便収納具２９のデザインは一例であって様々なデザインにすることが出来る。キャリーバッグ形糞便収納具２９の素材が非透水性でなければ撥水加工を施しておけばよい。又、キャリーバッグ形糞便収納具２９に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００６９】
図１８は、ペット用キャリーバッグ内に収納可能な柔らかい素材を用いた糞便収納具３２の斜視図である。留め具３にスライドファスナーを用いたデザインの一例である。
【００７０】
図１９は、ペット用カートにほぼ円筒バッグ形糞便収納具１を取り付けた状態を示す斜視図である。ペットと一緒に糞便１０をペット用カート３３の中に入れておくのは抵抗あるが、ペット用カート３３の側面に係止部２を設け係止部２にほぼ円筒バッグ形糞便収納具１を取り付けておけば、余分な荷物を持つことなく散歩することが出来る。又、ほぼ円筒バッグ形糞便収納具１は一例であってさまざまな糞便収納具を取り付けることができる。
【００７１】
図２０は、老人用歩行補助車３４側面に係止部２を設け、糞便収納保持部材７を取り付けた状態を示す斜視図である。糞便収納保持部材７の係止用孔９を係止部２に着脱自在に取り付け、その中に水溶性シートにて形成されている糞便収納袋１１とクランパ１５、ナイロン袋などを入れておき、散歩中動物が糞便１０をした場合水溶性シートにて形成されている糞便収納袋１１の中にクランパを挿入し、水溶性糞便収納袋１１を介してクランパ１５によって糞便１０を把持し、水溶性糞便収納袋１１のみを反転させた後クランパ１５と共に糞便収納保持部材７の中に収納し持ち帰ることが出来高齢者の方が犬などの動物を連れての散歩をする際なるべく荷物を少なくしたいという思いを解消させたものである。
【００７２】
又、糞便収納保持部材７が汚れると心配な場合はナイロン袋に糞便を収納した水溶性糞便収納袋１１を入れて持ち帰り、糞便１０と水溶性糞便収納袋のみをトイレに捨てればよい。なお糞便収納保持部材は非透水性合成樹脂素材、天然ゴム、合成ゴム、撥水加工された布、撥水加工された不織布などの素材を用い、糞便から万が一水分が出た場合も糞便収納保持部材７の外面に漏れることはない。又、糞便収納保持部材７が汚れた場合でも取り外して洗うことも容易であり、又取り替える事もできる。
【００７３】
実施例では糞便収納保持部材７を取り付けているが糞便収納具を取り付けるのが好ましい。高齢者の為の歩行補助車の中に糞便を処理した袋を入れるのは抵抗あるが、歩行補助車側面などに係止部を設け、糞便収納具又は、非透水性素材を用いた糞便収納保持部材をそのまま着脱可能に取り付ければ犬などの動物との散歩も容易にでき、抵抗もなくあらゆる問題を解決させることが出来る。
【００７４】
図２１は、水溶性糞便収納袋を収納する収納小袋３５斜視図である。糞便収納具の形状によって糞便収納袋を収納するポケットが設けられない場合は別に収納小袋３５を作り本体の糞便収納具に取り付けられるようにしておけばよく、実施例ではほぼ円筒バッグ形糞便収納具１に応用した場合の形状になっている。収納小袋３５上部に取り付け部３６を設け本体の糞便収納具の取手に取り付けられるようにしておけばよい。
【００７５】
又、実施例では開口部をスライドファスナーにしているが磁石、ボタン、面ファスナー、紐などでもよい。また犬などの動物の動きにより収納小袋３５がブラブラ揺れるようであれば、収納小袋３５片面と本体の糞便収納具の片面に留め具３を設けておけばよい。実施例では磁石にしているが例えば面ファスナー、ボタン、紐などを取り付け固定出来るようにしておけばよい。糞便収納具の形状に合わせて収納小袋３５のデザインを変えれば見た目もよい。収納小袋３５が糞便収納具に装着してあれば散歩中犬などの動物のお腹の調子が悪く下痢や軟便などの糞便をした場合水溶性糞便収納袋１１が複数枚必要になる。そうした場合便利である。
又、動物を複数頭散歩させる場合にも水溶性糞便収納袋が複数枚必要なので便利である。
【００７６】
図２２は、ほぼ円筒バッグ形糞便収納具１に収納小袋３５の取り付け部を取り付け材を用いて取り付けた状態を示す斜視図である。
【００７７】
図２３は、ほぼ円筒バッグ形糞便収納具１に水筒などをいれる収納袋３８を取り付け材３７を用いて取り付けた状態を示す斜視図である。
【００７８】
図２４は、収納ポケット１９を設けたほぼ円筒バッグ形糞便収納具１背面斜視図である。散歩中犬などの動物が糞便１０をする回数が１回とは限らない、例えばお腹の調子が悪く下痢や軟便などの場合水溶性糞便収納袋１１が複数枚必要になる。そうした場合水溶性糞便収納袋１１を収納するポケットが設けてあれば水溶性糞便収納袋１１を収納しておけるので便利である。
【００７９】
図２５は、請求項２記載のほぼ円筒バッグ形糞便収納具１側面に蓄光性蛍光体のＮ夜光３９を施した斜視図である。糞便収納具の少なくとも表面の一部に光反射材、夜光顔料、発光ダイオードなどを施すことで夜の散歩をする際、車の運転手に居場所を教える事が出来、事故に遭う可能性を下げることが出来る。光反射材はシールなど様々出ており安価なので利用しやすい。
【００８０】
又、蓄光性蛍光体の高輝度長残光性蛍光体Ｎ夜光３９は放射性物質を含まず暗闇で長時間発光し、残光、輝度が従来品の１０倍もあり耐光性、耐候性に優れ、化学的安定性が高く環境につよい。又、人と地球に優しいなどの効果がある為Ｎ夜光３９を施すことが好ましい。
【００８１】
又、糞便収納具の形状により発光ダイオードを施す場合、発光ダイオードは熱を放出することなく余分なエネルギーを消費しないため寿命が大変優れているなどの効果があり糞便収納具の形状に合わせて効果的なものを取り付ければよい。又、ほぼ円筒バッグ形糞便収納具１は一例であって様々な糞便収納具に取り付けることが好ましい。
又、図柄は動物、足形、植物、幾何学模様などいろいろ考えることができる。
【図面の簡単な説明】
【００８２】
【図１】ほぼ円筒バッグ形に応用した場合の糞便収納具の斜視図である。
【図２】ほぼ円筒バッグ形に応用した場合の糞便収納具を閉じた状態の斜視図である。
【図３】糞便収納保持部材の斜視図である。
【図４】水溶性シートにて形成されている糞便収納袋の正面図である。
【図５】クランパ斜視図である。
【図６】両端に折り返し把持部を設けたクランパ斜視図である。
【図７】半円バッグ形に応用した場合の糞便収納具の正面図である。
【図８】半円バッグ形に応用した場合の糞便収納具の背面図である。
【図９】半円バッグ形に応用した場合の糞便収納具を開口した状態を示す斜視図である。
【図１０】半円バッグ形に応用した場合の糞便収納具の取手を長くした正面図である。
【図１１】トートバッグ形に応用した場合の糞便収納具を閉じた状態を示す斜視図である。
【図１２】四角バッグ形に応用した場合の糞便収納具を閉じた状態を示す斜視図である。
【図１３】ポケット付横長バッグ形に応用した場合の糞便収納具を閉じた状態を示す斜視図である。
【図１４】上部開閉型ほぼ円筒バッグ形に応用した場合の糞便収納具を開口した状態を示す斜視図である。
【図１５】散歩用小道具収納部を具備した糞便収納具の糞便収納部のみを開口した状態を示す斜視図である。
【図１６】布を用いた糞便収納具の斜視図である。
【図１７】ペット用キャリーバッグにキャリーバッグ形糞便収納具を取り付けた状態を示す斜視図である。
【図１８】ペット用キャリーバッグに収納可能な柔らかい素材を用いた糞便収納具の斜視図である。
【図１９】ほぼ円筒バッグ形糞便収納具をペット用カートに取り付けた状態を示す斜視図である。
【図２０】歩行補助車に糞便収納保持部材を取り付けた状態を示す斜視図である。
【図２１】収納小袋の斜視図である。
【図２２】収納小袋を取り付けた状態のほぼ円筒バッグ形糞便収納具の斜視図である。
【図２３】水筒を入れた収納袋を取り付けた状態のほぼ円筒バッグ形糞便収納具の斜視図である。
【図２４】収納ポケットを設けたほぼ円筒バッグ形糞便収納具の背面斜視図である。
【図２５】蓄光性蛍光体Ｎ夜光を用いた図柄を施したほぼ円筒バッグ形糞便収納の斜視図である。
【符号の説明】
【００８３】
１・・・・・・・ほぼ円筒形糞便収納具
２・・・・・・・係止部
３・・・・・・・留め具
４、１４・・・・開口部
５・・・・・・・突状部材
６・・・・・・・消臭剤入れポケット
７・・・・・・・糞便収納保持部材
８・・・・・・・襠
９・・・・・・・係止用孔
１０・・・・・・糞便
１１・・・・・・水溶性糞便収納袋
１２・・・・・・空隙部
１３・・・・・・取手
１５・・・・・・クランパ
１６・・・・・・両端に折り返し把持部を設けたクランパ
１７・・・・・・折り返し把持部
１８・・・・・・半円バッグ形糞便収納具
１９・・・・・・収納ポケット
２０・・・・・・トートバッグ型糞便収納具
２１・・・・・・四角バッグ形糞便収納具
２２・・・・・・上蓋式開口部
２３・・・・・・ポケット付横長バッグ形糞便収納具
２４・・・・・・上部開閉型ほぼ円筒バッグ形糞便収納具
２５・・・・・・散歩用小道具収納部を具備した糞便収納具
２６・・・・・・糞便収納部
２７・・・・・・散歩用小道具収納部
２８・・・・・・布を用いた糞便収納具
２９・・・・・・キャリーバッグ形糞便収納具
３０・・・・・・取り付け具
３１・・・・・・ペット用キャリーバッグ
３２・・・・・・柔らかい素材を用いた糞便収納具
３３・・・・・・ペット用カート
３４・・・・・・歩行補助車
３５・・・・・・収納小袋
３６・・・・・・取り付け部
３７・・・・・・取り付け材
３８・・・・・・収納袋
３９・・・・・・蓄光性蛍光体Ｎ夜光を用いた図柄
４０・・・・・・取り出し口
【手続補正４】
【補正対象書類名】図面
【補正対象項目名】図１５
【補正方法】変更
【補正の内容】
【図１５】
2008029313.tif 000028
【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
開閉自在な開口部を有し、糞便摘み具によって把持した糞便を前記開口部から挿入して収納する糞便収納具において、
前記糞便収納具は、糞便収納具と前記糞便収納具に着脱自在に装着された非透水性糞便収納保持部材と糞便摘み具として半円弧状に形成した横長クランパと、前記クランパに被せられた水溶性糞便収納袋とから構成され、
前記水溶性糞便収納袋を被せた状態でクランパによって糞便を把持した後、前記水溶性糞便収納袋を反転させて糞便を前記水溶性糞便収納袋内に収納し、その後、前記糞便を前記水溶性糞便収納袋ごと前記非透水性糞便収納保持部材の中に前記クランパと共に収納したものであることを    特徴とする糞便収納具。
【請求項２】
前記糞便収納保持部材は、その両端部分を前記糞便収納具の開口部近傍に着脱自在に装着され、さらに前記糞便収納保持部材は前記糞便収納具の開口部の開閉操作に連動して開閉されるものであることを特徴とする請求項１に記載の糞便収納具。
【請求項３】
前記糞便収納保持部材、および前記クランパは抗菌処理を施したものであることを特徴とする請求項１または２に記載の糞便収納具。
【手続補正２】
【補正対象書類名】明細書
【補正対象項目名】全文
【補正方法】変更
【補正の内容】
【発明の詳細な説明】
【技術分野】
【０００１】
本発明は、犬を散歩させる際使用する糞便収納具であり、水溶性シートにて形成されている糞便収納袋の内側にクランパを挿入し、水溶性糞便収納袋を介してクランパによって糞便を把持した後、水溶性糞便収納袋のみを反転させ糞便を収納した水溶性糞便収納袋とクランパを共に糞便収納具に着脱可能に取り付けられている糞便収納保持部材に収納し、糞便収納具を閉じ持ち帰った後、糞便を把持しているクランパを離脱させ、水溶性糞便収納袋と糞便をトイレに捨てることが出来ることを目的とした糞便収納具である。
【背景技術】
【０００２】
犬の糞取り具は種種提案されているが、例えば、実用新案登録第３０８３９８８号記載の「携帯用フン処理セット」は、ふんとりバサミの柄に可動するリングをはめ、向かい合った先の二つの面をそれぞれスコップ形とくし形にした形状であり、又、フンとフン取りバサミ入れバッグは口の開閉の時、内枠の固定もできることを特徴とした携帯用フン処理セットである。
【０００３】
又、特開２００１−８５７１号公報に開示された「犬の糞回収具及びその収納バッグ」は、左右一対の挟持部材が先端部を開放させると共に、復元性を有してＶ字状に連結され、各挟持部材の先端部の近傍に、この先端部を介して外側に折り返される袋の口を止め付けるための止め付け部が形成され、又袋の底の一方側を懸吊状に止め付けるための袋の底用の止め付け部が一方の挟持部材の基端寄りに形成され、袋の口用の止め付け部と、底用の止め付け部とが、袋を通すための切窓状の開口部と、この開口部に臨まれると共に袋を挟着させるスリット状の切り込みを設けた挟持部材と、展開自在に形成された収納バッグの側部が折り戸状に形成され、この一方の側部から他方の側部にわたって本体部の収納スペースが幅狭状に形成されたことを特徴とするバッグからなる「犬の糞回収具及びその収納バッグ」である。
【特許文献１】登実第３０８３９８８号公報
【特許文献２】特開２００１−８５７１号公報
【発明の開示】
【発明が解決しようとする課題】
【０００４】
前記実用新案登録第３０８３９８８号公報記載の「携帯用フン処理セット」は、ふんとりバサミの柄に可動するリングをはめ、向かい合った先の二つの面をそれぞれスコップ形とくし形にした形状であり、バッグ内枠に捨て用内袋をつけることにより、内袋ごとフンを捨てられる携帯用フン処理セットであるが、バッグの内側開口部から下向きにホック付きテープが取り付けられ、内枠に薄い捨て用の内袋を内側から外側に向かってかぶせ、内袋の内側と外へかぶさった分とで二重になった部分を、バッグに取り付けたホック付きテープで、内枠をまたぐようにして内側からと外側からとめる構造になっているが、捨てよう内袋上部４箇所に穴があいているのかどうか説明がなく不十分である。万が一穴が開いていない場合、二重になった内袋の上からホック付きテープで止めた場合犬の動きによりはずれる可能性がある。又、捨て用内袋はどのような材質か分からず、フンを内袋ごと捨てられると記載されているが一軒家やマンションの水洗トイレに捨てるとは考えずらい欠点がある。
【０００５】
又、フンを挟む場合つかみバサミに直接フンがふれるので持ち帰ってからつかみバサミを洗わなければならない煩わしさがある。近年マンションで愛玩用の犬を飼う人も多くフンの付着したふんとりバサミの洗い場所に困る欠点がある。その上フンを直接挟んで持ち手付きバッグに入れる際フンが持ち手にふれたり、バッグの縁にふれたりする可能性があり、万が一持ち手にフンがふれた場合フンをした後、犬を散歩させることが苦痛になる欠点がある。又、フン処理後のふんとりバサミはバッグに入れることが出来ないため別に持たなければならない欠点がある。
【０００６】
又、特開２００１−８５７１号公報記載の「犬の糞回収具及びその収納バッグ」は、犬の糞を回収する挟持部材と糞を収納する袋の口を止め付けるための止め付け部を設けた犬の糞回収具であるが、糞を収納する袋の口を外側に折り返し、各挟持部材の開口部に外側から内方に通し、先端部側に引いて切り込みに挟み付ける。又その後、袋の底の一方側を挟持部材の開口部に通し、先端部側に引いて切り込みに挟み付けるといった煩わしい動作をしなければならない。その上、袋の素材をポリエチレン製の樹脂袋を用いた場合家のトイレに袋ごと捨てるわけにいかない欠点がある。
【０００７】
又、袋に糞を収納した後そのままの状態で収納バッグに入れて持ち帰り、挟持部材の止め付け部に取り付けた糞の入った袋を取り外す動作をしなければならない。又、そのままの状態で収納バッグに入れて持ち帰る場合、挟持部材先端が糞によって汚れていることが考えられ収納バッグに糞が付着する可能性がある。又、挟持部材が収納バッグに収納しきれない形状になっているので糞便の臭いが漂う可能性がある。又、収納バッグは展開自在にホックで連結されるよう形成されているが犬の動きによりホックがはずれる可能性がある。又、犬の散歩は大人に限らず子供も散歩をさせる為、なるべく簡単に糞便が把持でき糞便収納具に収納出来るかが大事である。
本発明は、これ等の欠点を解消させた糞便収納具を提供することを目的とする。
【課題を解決するための手段】
【０００８】
第一の発明は開閉自在な開口部を有し、糞便摘み具によって把持した糞便を前記開口部から挿入して収納する糞便収納具において、
前記糞便収納具は、糞便収納具と前記糞便収納具に着脱自在に装着された非透水性糞便収納保持部材と糞便摘み具として半円弧状に形成した横長クランパと、前記クランパに被せられた水溶性糞便収納袋とから構成され、
前記水溶性糞便収納袋を被せた状態でクランパによって糞便を把持した後、前記水溶性糞便収納袋を反転させて糞便を前記水溶性糞便収納袋内に収納し、その後、前記糞便を前記水溶性糞便収納袋ごと前記非透水性糞便収納保持部材の中に前記クランパと共に収納したものであることを特徴とする糞便収納具である。
第２の発明は第一の発明を前提として、前記糞便収納保持部材は、その両端部分を前記糞便収納具の開口部近傍に着脱自在に装着され、さらに前記糞便収納保持部材は前記糞便収納具の開口部の開閉操作に連動して開閉されるものであることを特徴とする請求項１に記載の糞便収納具である。
第３の発明は前記糞便収納保持部材、および前記クランパに抗菌処理を施したものであることを特徴とする請求項１または２に記載の糞便収納具である。
【発明の効果】
【０００９】
本発明は、以下の記載されるような効果を奏する。
犬の糞取り具は種種提案されているが、糞の後始末後ナイロンから糞が見えたり、犬の動きにより糞を入れた袋を持って歩く時、糞がブラブラ揺れるのが分かったりするものが多く、又、起伏にとんだ場所、例えば石と石の間、木の根っこ、道路と歩道の段差近くなどはナイロン袋などに手を入れて、手で挟み取ってひっくり返し持ち帰っていた。
【００１０】
又、軟便などは手で挟んでもなかなか上手く取れないものである。本発明の糞便収納具は一見普通の女性用バッグに見え、糞便収納具の口を開けてはじめて犬の糞便収納具と分かり、糞便を糞便収納具の外から見ることは出来ない。又、糞便収納具内開口近傍に係止部を設けてあるため、着脱可能な糞便収納保持部材を係止部に取り付けることにより、糞便収納具と糞便収納保持部材の間に空隙部が出来、糞便収納保持部材が万が一汚れた場合でも糞便収納具は汚れることはない。又、クランパを水溶性シートにて形成されている糞便収納袋の内側に挿入し、水溶性糞便収納袋を介してクランパによって糞便を把持した後、水溶性糞便収納袋のみを反転させ糞便収納保持部材の中にクランパと共に入れ糞便収納具の口を閉じれば、クランパが直接糞便にふれることなく水溶性糞便収納袋の上から保持した状態で収納されているので糞便収納具を持ち歩く時に揺れても糞便を収納した水溶性糞便収納袋の上からクランパが覆う形になり、動物の動きにより糞便が揺れても糞便収納保持部材を汚す可能性は低く、糞便収納具の口を閉じ動物と一緒に散歩をしていても普通の女性用バッグにしか見えない。又、糞便収納具の素材を皮、合成樹脂、布などいろいろ変えることも出来、デザインなども糞便収納具の形を様々な形にすることが出来る。
【００１１】
又、糞便収納保持部材を非透水性合成樹脂、天然ゴム、合成ゴム、撥水加工された布、撥水加工された不織布などにすることにより万が一糞便により糞便収納保持部材が汚れても糞便収納保持部材の外面に水分が漏れることもなく、又、糞便収納保持部材が着脱可能に装着されており、汚れた場合取り外して水洗いする事が出来る。又、他の糞便収納保持部材と取り替えることもできる。
【００１２】
又、クランパは起伏にとんだどんな場所でも使用する事が出来、手で糞便を挟むことはなく糞便を掴んだ嫌な感触も感じることはない。又、軟便の場合袋に手を入れて掴むのは困難である。本発明のクランパは手で握りやすい横長の半円弧状に形成されており糞便をはさみ易くしているため、細長い柄を操作して先端の挟み具で挟むようなもどかしさがない。（例えば実登第３０８３９８８号公報記載の携帯用フン処理セットはふんとりバサミの柄にリングをはめ、向かい合った先の二つの面をそれぞれ、スコップ形とくし形にした携帯用フン処理セットである。）又、挟持部材先端が複雑な形状（例えば特開２００１−８５７１号公報記載の挟持部材は先端部に袋を止め付けるための止め付け部を設けた形状である。）本発明は大人でも子供でも簡単に糞便あるいは軟便を挟み取ることができ、又、クランパ両端部をある程度の幅を持たせて内側に折り返せばより軟便を挟むことができる。
【００１３】
又、軟便の場合外出さきで２度３度糞便をすることが考えられるので糞便収納具内外の周囲に糞便収納具の形状に合わせて糞便収納袋を収納できるポケットを設けておけばよい。又、複数の動物を連れての散歩の場合にも糞便収納袋が複数枚必要な為、収納ポケットがあると便利である。糞便収納具の形状によりポケットを設けることが出来ない場合は別に糞便収納袋を収納出来る小袋を本体の糞便収納具に取り付けられるようにしておけばよい。
【００１４】
近年マンションで犬を飼う人も多くなり糞の後始末後のスコップ等洗い場に困ることもあるが、本発明は水溶性シートにて形成されている糞便収納袋を使用すれば糞便と水溶性糞便収納袋はトイレに流すことが出来るため洗う必要がない。
【００１５】
クランパの素材に合成樹脂などを用いても良く、又、マンションなどで洗い場がない場合、クランパが糞便で汚れたときはクランパの素材に厚紙などを用いれば使い捨てが出来るため洗う必要がない。今まで糞便がナイロンの外から見えたり、スコップなどを洗う必要があった煩わしさを解消させたものである。
【００１６】
又、糞便収納具内面に消臭剤を入れることが出来るポケットを取り付け、消臭剤を差し込めば糞の臭いを消すことが出来、又、糞便収納保持部材、クランパに抗菌処理例えば太陽光を当てれば抗菌される光触媒は太陽光が当たると汚れがつきにくい、簡単に汚れが水で洗い落とせる、抗菌、脱臭などの機能を発するので、そのような効果のある光触媒を施すことでいつまでも気持ちよく使用することが出来る。
【００１７】
又、糞便収納具外周の少なくとも１箇所に光反射材、蓄光性夜光顔料を用いた図柄を取り付けるか又は、発光ダイオードを用いた図柄を施せば夜道の散歩をする場合車の運転手に居場所を教えることが出来、交通事故に遭う可能性を下げることができる。
【００１８】
又、年々高齢者の人口が増え、高齢者の方にとって犬などの動物は癒しにもなり、家族として接している人も少なくない。そういう高齢者の方は犬などの動物を連れての散歩をする場合なるべく荷物を少なくしたいものである。
【００１９】
高齢者の為の歩行補助車の中に糞便を処理した袋を入れるのは抵抗あるが、歩行補助車側面などに係止部を設け、糞便収納具又は、非透水性合成樹脂素材、天然ゴム、合成ゴム、撥水加工された布、撥水加工された不織布などの素材を用いた糞便収納保持部材をそのまま着脱可能に取り付ければ万が一糞便により水分が出ても外面に漏れることも無く、犬などの動物との散歩も容易にできる。
【００２０】
又、ペット用カート側面に係止部を設け、糞便収納具を取り付けることができる。又、ペット用キャリーバッグの取手にも取り付け具を用いて糞便収納具を取り付けることが出来る。
【００２１】
又、糞便収納具内外にペット用小道具を入れる小道具収納部もしくはポケットを具備しておけば散歩用バッグとして幅広く使用できる。又、犬などの散歩は大人に限らず子供でもさせる為、糞便収納具はなるべく簡単で大人でも子供でも使いやすい構造にすることが好ましい。それらあらゆる問題を解決させることが出来る。
【発明を実施するための最良の形態】
【００２２】
本発明の実施例を図面に基づいて説明する。
図１は、糞便収納具を開口すると同時に、糞便収納具内開口近傍に設けられている係止部に取り付けられている糞便収納保持部材が開き、糞便を保持出来るように構成されている糞便収納具を、ほぼ円筒バッグ形に応用した場合の糞便収納具である。ほぼ円筒バッグ形糞便収納具１内開口部４近傍に設けられている係止部２に糞便収納保持部材７に設けている係止用孔９を取りつけ、水溶性シートで形成されている糞便収納袋１１の内側にクランパ１６を挿入し、水溶性糞便収納袋１１を介してクランパ１６によって糞便１０を把持した後、水溶性糞便収納袋１１のみを反転させ、クランパ１６と共に糞便収納保持部材７の中に収納した状態を示す斜視図である。
【００２３】
ほぼ円筒バッグ形糞便収納具１内開口部４近傍に設けられている係止部２はフック、紐、ボタン、面ファスナー、磁石などバッグの形状に合わせて変えることが出来るが例示したものはフックを取り付けたものである。その係止部２に取り付けられるよう係止用孔９を設けた非透水性合成樹脂、天然ゴム、合成ゴム、撥水加工された布、撥水加工された不織布などの素材を用いた糞便収納保持部材７をハンモック状に取り付けることにより、ほぼ円筒バッグ形糞便収納具１と糞便収納保持部材７との間に空隙部１２を設けることが出来、万が一糞便収納保持部材７が糞便１０によって汚れてもほぼ円筒バッグ形糞便収納具１を汚すことはない。又、糞便収納保持部材７は非透水性で外面に糞便の水分などが漏れることはないが万が一糞便収納保持部材７が汚れても取り外して洗うこともでき、また、他の糞便収納保持部材７と取り替える事もできる。
【００２４】
又、ほぼ円筒バッグ形糞便収納具１を閉める場合は留め具３としているが磁石、差し込み式、ボタン、紐、面ファスナー、スライドファスナーなどいろいろ用いてもよいが、例示しているものは差し込み式留め具３を使用している。又、ほぼ円筒バッグ形糞便収納具１を閉めた後、動物を散歩させて動物の動きにより水溶性糞便収納袋１１に収容されている糞便１０が揺れても、クランパ１６が水溶性糞便収納袋１１に収容されている糞便１０の上を覆っているので揺れも最小限に押さえられ糞便収納保持部材７を汚す可能性は低い。又、糞便収納保持部材７の横面対向２辺に襠８を設けているので動物の動きにより糞便１０が揺れても糞便収納保持部材７の外に滑落することはない。又、糞便１０により糞便収納保持部材７が汚れると心配な場合はナイロン袋の中に糞便１０を入れた水溶性糞便収納袋１１を入れて、帰宅後に糞便１０と水溶性糞便収納袋１１のみを水洗トイレに捨てることが出来る。万が一クランパ１６が汚れた場合でも合成樹脂素材を用いれば容易に洗うことも出来、洗う場所がない場合はクランパ１６の素材に厚紙などを用いれば使い捨てに出来るのでゴミ箱などに捨てればよい。
【００２５】
又、ほぼ円筒バッグ形糞便収納具１、糞便収納保持部材７、クランパ１６に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。その上ほぼ円筒バッグ形糞便収納具１内側に消臭剤を入れるポケット６を取り付け、その中に消臭剤を入れておけばほぼ円筒バッグ形糞便収納具１を持って出かけても人の目を気にしなくてもよい。
又、クランパ１６、水溶性糞便収納袋１１、ナイロン袋などはあらかじめ糞便収納保持部材７の中に収納しておけば動物が糞便をした場合すぐに使用することが出来る。
又、ほぼ円筒バッグ形糞便収納具自体合成樹脂にすればバッグを洗うことも出来、その他の素材にする場合撥水加工などを施しておけばバッグ自体が汚れても洗う事が出来る。
【００２６】
図２は、ほぼ円筒バッグ形糞便収納具１を留め具３によって閉じた状態を示す斜視図である。ほぼ円筒バッグ形糞便収納具１の場合は、ほぼ円筒バッグ形糞便収納具１が転がらないように、底外面４カ所に突状部材５を設けて安定させるのが好ましい。
又、ほぼ円筒バッグ形糞便収納具の取手を短くも長くも出来るようにしておけば、長くした場合肩に掛けられる為両手を使うことが出来、いろいろな荷物を持つことができ便利である。
【００２７】
図３は、糞便収納保持部材7斜視図である。様々な形の糞便収納具の開口部４近傍に設けてある係止部２に着脱可能に取り付けられる糞便収納保持部材7であり、方形シートの対向二辺に係止用孔9を設け、他方の対向二辺に襠8を設けている。又、方形シートに形成されている糞便収納保持部材７は非透水性合成樹脂、天然ゴム、合成ゴム、撥水加工された布、撥水加工された不織布などの素材を用いれば万が一糞便１０により水分が出ても方形シートに形成されている糞便収納保持部材７外面に水分が漏れることはない。
【００２８】
又、他方の対向二辺に襠８が設けてあるので犬などの動物の動きにより水溶性糞便収納袋１１に収容されている糞便１０がブラブラ揺れても糞便収納具自体を汚すことはなく、又、糞便収納保持部材７から滑落することもない。万が一糞便収納保持部材７が汚れても容易に糞便収納保持部材７を取り外し水洗いすることが出来る。
【００２９】
又、糞便収納保持部材７の形状もバッグなどの形状により変化することもある。例えば糞便収納具の形状により糞便収納保持部材７の襠を必要としないで糞便収納具自体が糞便収納保持部材７の襠８の役目をする場合変化することが可能である。
又、糞便収納保持部材７に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００３０】
図４は、水溶性シートにて形成されている糞便収納袋１１の正面図である。水溶性糞便収納袋１１の開口部１４からクランパ１５を挿入し水溶性糞便収納袋１１を介してクランパ１５によって糞便１０を把持した後反転させ糞便収納保持部材７の中に収納し、持ち帰った後クランパ１５を離脱させ糞便１０と共に水洗トイレに捨てることが出来る。
【００３１】
図５は、クランパ１５の斜視図であり、手で握りやすい横長の半円弧状にし、糞便１０を把持出来るようにしたものである。クランパ１５を横長の半円弧状にすることにより手で握りやすく、水溶性糞便収納袋の開口部が横長になっている為、クランパを水溶性糞便収納袋内に挿入しやすく、水溶性糞便収納袋を介してクランパによって糞便を一度に挟み上げた後、水溶性糞便収納袋のみを反転させ糞便を収納した水溶性糞便収納袋と共に糞便収納保持部材に収納する事が出来る。
【００３２】
又、クランパを使用する際は適時撓んで糞便を落ちこぼすことなく挟み取ることが出来る。クランパ１５の材質に合成樹脂素材を用いてもよく、又、使い捨てにする場合は厚紙や環境に考慮して自然素材を用いて土にかえる素材を用いるのが好ましい。又、汚れた場合に捨てる素材を用いた場合は少なくともクランパ１５の表面裏面一方に非透水性のコーティングを施しておけばよい。
【００３３】
又、素材に合成樹脂を用いた場合クランパ１５に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００３４】
図６は、クランパ１６の両端に折り返し把持部を設けたクランパ１６の斜視図である。軟便などの場合横長の半円弧状に形成されているクランパ１６の両端を内側に折り返すことで、使用する際クランパ１６を握ることにより両端の折り返し把持部１７が閉鎖するぐらい付き合わさり軟便も容易に把持することが出来る為、クランパ１６両端を内側に折り返し把持部を設けることが好ましい。
【００３５】
又、クランパ１６の材質に合成樹脂素材を用いてもよく、又、使い捨てにする場合は厚紙や環境に考慮して自然素材を用いて土にかえる素材を用いるのが好ましい。又、汚れた場合に捨てる素材を用いた場合は少なくともクランパ１６の表面裏面一方に非透水性のコーティングを施しておけばよい。又、素材に合成樹脂を用いた場合クランパ１６に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００３６】
図７は、糞便収納具を半円バッグ形に応用した場合の半円バッグ形糞便収納具１８の正面図である。前面にポケットティッシュペーパーなどを入れる収納ポケット１９を設けているので水溶性糞便収納袋１１などを入れるのに便利である。又、留め具３としてバッグの形状によりいろいろ変えることができるが、例示しているものはスライドファスナーを使用している。又、糞便１０をする場所によって半円バッグ形糞便収納具１８が汚れる可能性がある為、底外面４箇所に突状部材を設けるのが好ましい。
【００３７】
図８は、糞便収納具を半円バッグ形に応用した場合の半円バッグ形糞便収納具１８の背面図である。背面に水筒、ブラシなどを入れる収納ポケット１９を設けているので、糞便収納具以外にもお散歩バッグとして利用でき幅広く使用する事が出来る。
【００３８】
図９は、糞便収納具を半円バッグ形に応用した場合の半円バッグ形糞便収納具１８を開口した状態を示しており、開口部４近傍に糞便収納保持部材７の係止用孔９が取り付けられるよう係止部２を設け、糞便収納保持部材７をハンモック状に取り付けた状態を示し、その中に水溶性シートで形成されている糞便収納袋１１の内側にクランパを挿入し、水溶性糞便収納袋を介してクランパによって糞便１０を把持した後、水溶性糞便収納袋のみを反転させ、クランパ１６と共に糞便収納保持部材７の中に収納している状態を示す斜視図である。
【００３９】
万が一水溶性糞便収納袋に収容されている糞便１０により糞便収納保持部材７が汚れても取り外して洗うことも出来、新しい糞便収納保持部材７に取り替えることもできる。又、開口部４を閉めれば半円バッグ形糞便収納具１８と糞便収納保持部材７の間に空隙部１２が出来、糞便収納保持部材７が万が一汚れても半円バッグ形糞便収納具１８が汚れることはない。
又、半円バッグ形糞便収納具に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００４０】
図１０は、半円バッグ形糞便収納具１８の取手１３を長くした正面図である。取手１３を長くし、肩に掛けられるようにすれば両手が使え動物の思いも寄らない動きに対応しやすくなる。取手１３は短くも長くも出来るよう取り外し可能にするのが好ましい。
【００４１】
図１１は、糞便収納具をトートバッグに応用した場合のトートバッグ形糞便収納具２０の開口部４を閉めた状態を示す斜視図である。実施例では留め具３にスライドファスナーを用いているが留め具として面ファスナー、磁石、ボタン、紐などでもよい。
【００４２】
図１２は、糞便収納具を四角バッグ形に応用した場合の四角バッグ形糞便収納具２１を閉めた状態を示す斜視図である。実施例では留め具３に磁石を用いて閉じた状態であるが留め具として差し込み式、面ファスナー、ボタン、紐などでもよい。  
【００４３】
図１３は、糞便収納具をポケット付横長バッグに応用した場合のポケット付横長バッグ形糞便収納具の斜視図である。ポケット付横長バッグ形糞便収納具２３側面に収納ポケット１９を設けることにより、動物を散歩させ水分補給する場合別に水筒を持たなければならないが糞便収納具に収納ポケット１９を設けておけば出かける際荷物を減らすことができ便利である。
又、留め具３は実施例では留め具３に差し込み式を用いて閉じた状態であるが留め具として磁石、面ファスナー、ボタン、紐などでもよい。
【００４４】
図１４は、糞便収納具を上部開閉型ほぼ円筒バッグ形に応用した場合の上部開閉型ほぼ円筒バッグ形糞便収納具である。
【００４５】
図１５は、糞便収納具に散歩用小道具収納部を具備した糞便収納具に応用した場合の散歩用小道具収納部を具備した糞便収納具斜視図である。
動物を散歩させる際に必要な小物を入れる散歩用小道具収納部２７と糞便を収納する糞便収納部２６にそれぞれ取り出し口が分かれており、取り出し口をそれぞれに設けた散歩用小道具収納部を具備した糞便収納具２５内もしきりがあるため、糞便１０を収納した後も抵抗なく小道具を取りだし使用する事が出来る。
【００４６】
糞便１０は水溶性シートで形成されている糞便収納袋１１の中にクランパ１５を挿入し水溶性糞便収納袋１１を介してクランパ１５によって糞便を把持し、水溶性糞便収納袋のみを反転させ、クランパ１５と共に糞便収納保持部材７の中に収納しているため、糞便収納部２６を閉めれば糞便収納部２６と糞便収納保持部材７との間に空隙部１２ができ、万が一糞便収納保持部材７が糞便１０によって汚れても糞便収納部２６が汚れることはない。
【００４７】
又、糞便収納保持部材７は非透水性素材、例えば非透水性合成樹脂、天然ゴム、合成ゴム、撥水加工された布、撥水加工された不織布などを用いているため外面に糞便などの水分が漏れることはないが、万が一汚れた場合は取り外して洗うことも出来、又、他の糞便収納保持部材に取り替える事もできる。
【００４８】
又、取り出し口の留め具３は糞便収納具の形状によっていろいろ考えられるが例示したものはスライドファスナーを用いている。散歩用小道具収納部２７と糞便収納部２６は別々の取り出し口ではあるが糞便収納具の形状が一つになることで水筒、ブラシ、遊具のボールなどをいれた小物入れと糞便収納袋を別々に持つ不便さをなくし動物を連れての遠出も心配なく行くことが出来る。
又、取り出し口をそれぞれに設けた糞便収納具２５に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００４９】
図１６は、糞便収納具を布用バッグに応用した場合の布を用いた糞便収納具の斜視図である。布用バッグの場合、布を用いた糞便収納具２８表裏面に撥水加工を施しておけばよい。又、外面に水筒、櫛、ポケットティッシュ、水溶性糞便収納袋などを入れるポケット１９を設けておけばおでかけバッグとして重宝である。又、例示した布を用いた糞便収納具は一例であってあらゆる形にすることが出来る。又、布を用いた糞便収納具２８に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００５０】
図１７は、糞便収納具をペット用キャリーバッグと同型にした糞便収納具に応用したキャリーバッグ形糞便収納具である。キャリーバッグ形糞便収納具２９を取り付け具３０を用いて取り付けた状態を示す斜視図である。動物が糞便１０をするまではペット用キャリーバッグ３１の中に収納しておき、糞便１０をした時にペット用キャリーバッグ３１から取り出し、糞便１０を水溶性シートで形成されている糞便収納袋１１の中にクランパ１５を挿入し水溶性糞便収納袋１１を介してクランパ１５によって糞便１０を把持し、水溶性糞便収納袋１１のみを反転させ、クランパ１５と共に糞便収納保持部材７の中に収納してキャリーバッグ形糞便収納具２９の開口部を閉じ、取り付け具３０を用いて取り付ければ余分な荷物を持つ必要がない。
【００５１】
又、ペットと一緒に糞便１０をペット用キャリーバッグ３１に入れるのは抵抗あるがペット用キャリーバッグ３１と同型のキャリーバッグ形糞便収納具２９に入れることにより統一感が出て他の人から見て糞便が入っているとは思われない。又、糞便１０を糞便収納保持部材７に収納する場合、水溶性糞便収納袋に収納している糞便１０の上をクランパ１５が覆うことにより糞便がつぶれにくいという効果がある。
【００５２】
又、キャリーバッグ形糞便収納具２９の素材に柔らかい素材を用いれば使用するまでペット用キャリーバッグ３１に入れておいてもじゃまにならない。又、例示したキャリーバッグ形糞便収納具２９のデザインは一例であって様々なデザインにすることが出来る。キャリーバッグ形糞便収納具２９の素材が非透水性でなければ撥水加工を施しておけばよい。又、キャリーバッグ形糞便収納具２９に抗菌処理例えば銀系抗菌剤、ミネラル抗菌剤など他にも多数あるが、光触媒は太陽光が当たると汚れがつきにくい、簡単に汚れが水で洗い落とせる、抗菌、脱臭などの機能を発するので、そのような効果のある光触媒を施すことが好ましい。
【００５３】
図１８は、ペット用キャリーバッグ内に収納可能な柔らかい素材を用いた糞便収納具３２の斜視図である。留め具にスライドファスナーを用いたデザインの一例である。
【００５４】
図１９は、ペット用カートにほぼ円筒バッグ形糞便収納具１を取り付けた状態を示す斜視図である。ペットと一緒に糞便１０をペット用カート３３の中に入れておくのは抵抗あるが、ペット用カート３３の側面に係止部２を設け係止部２にほぼ円筒バッグ形糞便収納具１を取り付けておけば、余分な荷物を持つことなく散歩することが出来る。又、ほぼ円筒バッグ形糞便収納具１は一例であってさまざまな糞便収納具を取り付けることができる。
【００５５】
図２０は、老人用歩行補助車３４側面に係止部２を設け、糞便収納保持部材７を取り付けた状態を示す斜視図である。糞便収納保持部材７の係止用孔９を係止部２に着脱自在に取り付け、その中に水溶性シートにて形成されている糞便収納袋１１とクランパ１５、ナイロン袋などを入れておき、散歩中動物が糞便１０をした場合水溶性シートにて形成されている糞便収納袋１１の中にクランパを挿入し、水溶性糞便収納袋１１を介してクランパ１５によって糞便１０を把持し、水溶性糞便収納袋１１のみを反転させた後クランパ１５と共に糞便収納保持部材７の中に収納し持ち帰ることが出来、高齢者の方が犬などの動物を連れての散歩をする際なるべく荷物を少なくしたいという思いを解消させたものである。
【００５６】
又、糞便収納保持部材７が汚れると心配な場合はナイロン袋に糞便を収納した水溶性糞便収納袋１１を入れて持ち帰り、糞便１０と水溶性糞便収納袋のみをトイレに捨てればよい。なお糞便収納保持部材は非透水性合成樹脂素材、天然ゴム、合成ゴム、撥水加工された布、撥水加工された不織布などの素材を用い、糞便から万が一水分が出た場合も糞便収納保持部材７の外面に漏れることはない。又、糞便収納保持部材７が汚れた場合でも取り外して洗うことも容易であり、又取り替える事もできる。
【００５７】
実施例では糞便収納保持部材７を取り付けているが糞便収納具を取り付けるのが好ましい。高齢者の為の歩行補助車の中に糞便を処理した袋を入れるのは抵抗あるが、歩行補助車側面などに係止部を設け、糞便収納具又は、非透水性素材を用いた糞便収納保持部材をそのまま着脱可能に取り付ければ犬などの動物との散歩も容易にでき、抵抗もなくあらゆる問題を解決させることが出来る。
【００５８】
図２１は、水溶性糞便収納袋を収納する収納小袋３５斜視図である。糞便収納具の形状によって糞便収納袋を収納するポケットが設けられない場合は別に収納小袋３５を作り本体の糞便収納具に取り付けられるようにしておけばよく、実施例ではほぼ円筒バッグ形糞便収納具１に応用した場合の形状になっている。収納小袋３５上部に取り付け部３６を設け本体の糞便収納具の取手に取り付けられるようにしておけばよい。
【００５９】
又、実施例では開口部をスライドファスナーにしているが磁石、ボタン、面ファスナー、紐などでもよい。また犬などの動物の動きにより収納小袋３５がブラブラ揺れるようであれば、収納小袋３５片面と本体の糞便収納具の片面に留め具３を設けておけばよい。実施例では磁石にしているが例えば面ファスナー、ボタン、紐などを取り付け固定出来るようにしておけばよい。糞便収納具の形状に合わせてデザインを変えれば見た目もよい。収納小袋３５が糞便収納具に装着してあれば散歩中犬などの動物のお腹の調子が悪く下痢や軟便などの糞便をした場合水溶性糞便収納袋１１が複数枚必要になる。そうした場合便利である。
【００６０】
図２２は、ほぼ円筒バッグ形糞便収納具１に収納小袋３５の取り付け部を取り付け材を用いて取り付けた状態を示す斜視図である。
【００６１】
図２３は、ほぼ円筒バッグ形糞便収納具１に水筒などをいれる収納袋３８を取り付け材３７を用いて取り付けた状態を示す斜視図である。
【００６２】
図２４は、収納ポケット１９を設けたほぼ円筒バッグ形糞便収納具１背面斜視図である。散歩中犬などの動物が糞便１０をする回数が１回とは限らない、例えばお腹の調子が悪く下痢や軟便などの場合水溶性糞便収納袋１１が複数枚必要になる。そうした場合水溶性糞便収納袋１１を収納するポケットが設けてあれば水溶性糞便収納袋１１を収納しておけるので便利である。
【００６３】
図２５は、ほぼ円筒バッグ形糞便収納具１側面に蓄光性蛍光体のＮ夜光３９を施した斜視図である。糞便収納具の少なくとも表面の一部に光反射材、夜光顔料、発光ダイオードなどを施すことで夜の散歩をする際、車の運転手に居場所を教える事が出来、事故に遭う可能性を下げることが出来る。光反射材はシールなど様々出ており安価なので利用しやすい。
【００６４】
又、蓄光性蛍光体の高輝度長残光性蛍光体Ｎ夜光３９は放射性物質を含まず暗闇で長時間発光し、残光、輝度が従来品の１０倍もあり耐光性、耐候性に優れ、化学的安定性が高く環境につよい。又、人と地球に優しいなどの効果がある為Ｎ夜光３９を施すことが好ましい。
【００６５】
又、糞便収納具の形状により発光ダイオードを施す場合、発光ダイオードは熱を放出することなく余分なエネルギーを消費しないため寿命が大変優れているなどの効果があり糞便収納具の形状に合わせて効果的なものを取り付ければよい。又、ほぼ円筒バッグ形糞便収納具１は一例であって様々な糞便収納具に取り付けることが好ましい。
又、図柄は動物、足形、植物、幾何学模様などいろいろ考えることができる。
【図面の簡単な説明】
【００６６】
【図１】ほぼ円筒バッグ形に応用した場合の糞便収納具の斜視図である。
【図２】ほぼ円筒バッグ形に応用した場合の糞便収納具を閉じた状態の斜視図である。
【図３】糞便収納保持部材の斜視図である。
【図４】水溶性シートにて形成されている糞便収納袋の正面図である。
【図５】クランパ斜視図である。
【図６】両端に折り返し把持部を設けたクランパ斜視図である。
【図７】半円バッグ形に応用した場合の糞便収納具の正面図である。
【図８】半円バッグ形に応用した場合の糞便収納具の背面図である。
【図９】半円バッグ形に応用した場合の糞便収納具を開口した状態を示す斜視図である。
【図１０】半円バッグ形に応用した場合の糞便収納具の取手を長くした正面図である。
【図１１】トートバッグ形に応用した場合の糞便収納具を閉じた状態を示す斜視図である。
【図１２】四角バッグ形に応用した場合の糞便収納具を閉じた状態を示す斜視図である。
【図１３】ポケット付横長バッグ形に応用した場合の糞便収納具を閉じた状態を示す斜視図である。
【図１４】上部開閉型ほぼ円筒バッグ形に応用した場合の糞便収納具を開口した状態を示す斜視図である。
【図１５】散歩用小道具収納部を具備した糞便収納具の糞便収納部のみを開口した状態を示す斜視図である。
【図１６】布を用いた糞便収納具の斜視図である。
【図１７】ペット用キャリーバッグにキャリーバッグ形糞便収納具を取り付けた状態を示す斜視図である。
【図１８】ペット用キャリーバッグに収納可能な柔らかい素材を用いた糞便収納具の斜視図である。
【図１９】ほぼ円筒バッグ形糞便収納具をペット用カートに取り付けた状態を示す斜視図である。
【図２０】歩行補助車に糞便収納保持部材を取り付けた状態を示す斜視図である。
【図２１】収納小袋の斜視図である。
【図２２】収納小袋を取り付けた状態のほぼ円筒バッグ形糞便収納具の斜視図である。
【図２３】水筒を入れた収納袋を取り付けた状態のほぼ円筒バッグ形糞便収納具の斜視図である。
【図２４】収納ポケットを設けたほぼ円筒バッグ形糞便収納具の背面斜視図である。
【図２５】蓄光性蛍光体Ｎ夜光を用いた図柄を施したほぼ円筒バッグ形糞便収納の斜視図である。
【符号の説明】
【００６７】
１・・・・・・・ほぼ円筒形糞便収納具
２・・・・・・・係止部
３・・・・・・・留め具
４、１４・・・・開口部
５・・・・・・・突状部材
６・・・・・・・消臭剤入れポケット
７・・・・・・・糞便収納保持部材
８・・・・・・・襠
９・・・・・・・係止用孔
１０・・・・・・糞便
１１・・・・・・水溶性糞便収納袋
１２・・・・・・空隙部
１３・・・・・・取手
１５・・・・・・クランパ
１６・・・・・・両端に折り返し把持部を設けたクランパ
１７・・・・・・折り返し把持部
１８・・・・・・半円バッグ形糞便収納具
１９・・・・・・収納ポケット
２０・・・・・・トートバッグ型糞便収納具
２１・・・・・・四角バッグ形糞便収納具
２２・・・・・・上蓋式開口部
２３・・・・・・ポケット付横長バッグ形糞便収納具
２４・・・・・・上部開閉型ほぼ円筒バッグ形糞便収納具
２５・・・・・・散歩用小道具収納部を具備した糞便収納具
２６・・・・・・糞便収納部
２７・・・・・・散歩用小道具収納部
２８・・・・・・布を用いた糞便収納具
２９・・・・・・キャリーバッグ形糞便収納具
３０・・・・・・取り付け具
３１・・・・・・ペット用キャリーバッグ
３２・・・・・・柔らかい素材を用いた糞便収納具
３３・・・・・・ペット用カート
３４・・・・・・歩行補助車
３５・・・・・・収納小袋
３６・・・・・・取り付け部
３７・・・・・・取り付け材
３８・・・・・・収納袋
３９・・・・・・蓄光性蛍光体Ｎ夜光を用いた図柄